(57)【要約】ユーザ機器を使用してアップリンク制御情報を基地局に通信する方法が、提示される。前記方法は、物理アップリンク共有チャネル（ＰＵＳＣＨ）伝送のためにスケージュリングされた前記ユーザ機器に対するコンポーネントキャリアを識別することと、アップリンク制御情報の伝送のためのコンポーネントキャリアの各々に対する少なくとも１つの第１の序列を識別することとを含む。各第１の序列は、コンポーネントキャリアが遅延センシティブ伝送のために構成されているかどうかによって、少なくとも部分的に決定される。方法は、少なくとも１つの第１の序列を使用してアップリンク制御情報の伝送のための第１のコンポーネントキャリアを選択することと、アップリンク制御情報を基地局への伝送のために、第１のコンポーネントキャリアにエンコードすることとを含む。【選択図】図４
2013526216.tif 000002
【特許請求の範囲】
【請求項１】
ユーザ機器を使用してアップリンク制御情報を基地局に通信する方法であって、
物理アップリンク共有チャネル（ＰＵＳＣＨ）伝送のためにスケージュリングされた前記ユーザ機器に対するコンポーネントキャリアを識別することと、
アップリンク制御情報の伝送のためのコンポーネントキャリアの各々に対する少なくとも１つの第１の序列を識別することであって、各第１の序列は、コンポーネントキャリアが遅延センシティブ伝送のために構成されているかどうかによって、少なくとも部分的に決定される、ことと、
前記少なくとも１つの第１の序列を使用してアップリンク制御情報の伝送のための第１のコンポーネントキャリアを選択することと、
アップリンク制御情報を前記基地局への伝送のための前記第１のコンポーネントキャリアにエンコードすることと
を含む、方法。
【請求項２】
遅延センシティブ伝送は、半永続スケジューリング伝送、信号伝達無線ベアラを使用する伝送、および媒体アクセス制御（ＭＡＣ）制御要素（ＣＥ）伝送のうちの少なくとも１つを含む、請求項１に記載の方法。
【請求項３】
序列表を前記基地局から受信することを含み、前記序列表は、前記コンポーネントキャリアの各々に対する前記少なくとも１つの第１の序列を含む、請求項１に記載の方法。
【請求項４】
前記序列表は、信号伝達無線ベアラのうちの少なくとも１つおよび媒体アクセス制御要素の伝送に対して前記コンポーネントキャリアの各々をさらに序列化する、請求項３に記載の方法。
【請求項５】
前記少なくとも１つの第１の序列を識別することは、
信号伝達無線ベアラ伝送および媒体アクセス制御要素伝送のうちの少なくとも１つのための前記コンポーネントキャリアの各々に対して少なくとも１つの第２の序列を受信することと、
前記少なくとも１つの第２の序列を使用してアップリンク制御情報の伝送のための前記少なくとも１つの第１の序列を決定することと
を含む、請求項１に記載の方法。
【請求項６】
前記少なくとも１つの第２の序列を使用することは、前記少なくとも１つの第２の序列の順序を逆にすることを含む、請求項５に記載の方法。
【請求項７】
前記コンポーネントキャリアのうちの少なくとも１つの無線信号条件に基づいて、前記コンポーネントキャリアのうちの前記少なくとも１つの第１の序列を修正することを含む、請求項１に記載の方法。
【請求項８】
ユーザ機器を使用してアップリンク制御情報を基地局に通信する方法であって、
物理アップリンク共有チャネル（ＰＵＳＣＨ）伝送のためにスケージュリングされた前記ユーザ機器に対するコンポーネントキャリアを識別することと、
前記コンポーネントキャリアのうちの１つ以上が非遅延センシティブ伝送のために構成されている場合、非遅延センシティブ伝送のために構成されているコンポーネントキャリアのうちの１つ以上を識別し、アップリンク制御情報の伝送のために、前記コンポーネントキャリアのうちの１つ以上から、第１のコンポーネントキャリアを選択することと、
アップリンク制御情報を前記基地局への伝送のための前記第１のコンポーネントキャリアにエンコードすることと
を含む、方法。
【請求項９】
遅延センシティブ伝送は、半永続スケジューリング伝送、信号伝達無線ベアラを使用する伝送、および媒体アクセス制御要素伝送のうちの少なくとも１つを含む、請求項８に記載の方法。
【請求項１０】
序列表を前記基地局から受信することを含み、前記序列表は、アップリンク制御情報の伝送のための前記コンポーネントキャリアの各々に対する少なくとも１つの第１の序列を含む、ことを含む、請求項８に記載の方法。
【請求項１１】
前記コンポーネントキャリアのうちの少なくとも１つの無線信号条件に基づいて、前記コンポーネントキャリアのうちの少なくとも１つの前記少なくとも１つの第１の序列を修正することを含む、請求項１０に記載の方法。
【請求項１２】
信号伝達無線ベアラのうちの少なくとも１つの伝送、および媒体アクセス制御要素伝送のためのコンポーネントキャリアの各々に対して少なくとも１つの第２の序列を受信することと、
前記少なくとも１つの第２の序列を使用して、アップリンク制御情報の伝送のためのコンポーネントキャリアの各々に対する少なくとも１つの第１の序列を識別することと
を含む、請求項８に記載の方法。
【請求項１３】
ハイブリッド自動再送要求（ＨＡＲＱ）肯定応答／否定応答（ＨＡＲＱ  ＡＣＫ／ＮＡＣＫ）シンボルを物理アップリンク共有チャネル（ＰＵＳＣＨ）上に配分する方法であって、
ＰＵＳＣＨサブフレーム内のＨＡＲＱ  ＡＣＫ／ＮＡＣＫ伝送のための第１の数の配分されたシンボルを識別することと、
キャリアアグリゲーションを実装する場合に、ＨＡＲＱ  ＡＣＫ／ＮＡＣＫ伝送のために配分されたシンボルの数を増加させることと、
前記増加された配分されたシンボルの数を使用して、前記ＰＵＳＣＨサブフレーム内でＨＡＲＱ  ＡＣＫ／ＮＡＣＫデータを伝送することと
を含む、方法。
【請求項１４】
ユーザ機器を使用してアップリンク制御情報を基地局に通信する方法であって、
第１の物理アップリンク共有チャネル（ＰＵＳＣＨ）サブフレームのパンクチャリング比率を決定することであって、前記パンクチャリング比率は、アップリンク共有チャネル（ＵＬ−ＳＣＨ）データのために配分された前記ＰＵＳＣＨサブフレーム内のシンボルに対するアップリンク制御情報のために配分された前記ＰＵＳＣＨサブフレーム内のシンボルの比率を識別する、ことと、
前記パンクチャリング比率が、閾値を上回る場合、前記ＰＵＳＣＨサブフレーム内のアップリンク共有チャネル（ＵＬ−ＳＣＨ）データをドロップすることと
を含む、方法。
【請求項１５】
ユーザ機器であって、プロセッサを含み。
前記プロセッサは、
物理アップリンク共有チャネル（ＰＵＳＣＨ）伝送のためにスケージュリングされた前記ユーザ機器に対するコンポーネントキャリアを識別することと、
アップリンク制御情報の伝送のためのコンポーネントキャリアの各々に対する少なくとも１つの第１の序列を識別することであって、各第１の序列は、コンポーネントキャリアが遅延センシティブ伝送のために構成されているかどうかによって、少なくとも部分的に決定される、ことと、
前記少なくとも１つの第１の序列を使用してアップリンク制御情報の伝送のための第１のコンポーネントキャリアを選択することと、
アップリンク制御情報を基地局への伝送のための前記第１のコンポーネントキャリアにエンコードすることと
を行うように構成されている、ユーザ機器。
【請求項１６】
遅延センシティブ伝送は、半永続スケジューリング伝送、信号伝達無線ベアラを使用する伝送、および媒体アクセス制御要素伝送のうちの少なくとも１つを含む、請求項１５に記載のユーザ機器。
【請求項１７】
前記プロセッサは、序列表を受信するように構成され、前記序列表は、前記コンポーネントキャリアの各々に対する前記少なくとも１つの第１の序列を含む、請求項１５に記載のユーザ機器。
【請求項１８】
前記序列表は、信号伝達無線ベアラのうちの少なくとも１つ、および媒体アクセス制御要素の伝送のためのコンポーネントキャリアの各々をさらに序列化する、請求項１７に記載のユーザ機器。
【請求項１９】
前記プロセッサは、
信号伝達無線ベアラ伝送および媒体アクセス制御要素伝送のうちの少なくとも１つのためのコンポーネントキャリアの各々に対して少なくとも１つの第２の序列を受信し、
前記少なくとも１つの第２の序列を使用してアップリンク制御情報の伝送のための前記少なくとも１つの第１の序列を決定する
ように構成されている、請求項１５に記載のユーザ機器。
【請求項２０】
ユーザ機器であって、プロセッサを備え、
前記プロセッサは、
物理アップリンク共有チャネル（ＰＵＳＣＨ）伝送のためにスケージュリングされた前記ユーザ機器に対するコンポーネントキャリアを識別することと、
前記コンポーネントキャリアのうちの１つ以上が非遅延センシティブ伝送のために構成されている場合、非遅延センシティブ伝送のために構成されているコンポーネントキャリアのうちの１つ以上を識別し、アップリンク制御情報の伝送のために、前記コンポーネントキャリアのうちの１つ以上から、第１のコンポーネントキャリアを選択することと、
アップリンク制御情報を基地局への伝送のための前記第１のコンポーネントキャリアにエンコードすることと
を行うように構成されている、ユーザ機器。
【請求項２１】
遅延センシティブ伝送は、半永続スケジューリング伝送、信号伝達無線ベアラを使用する伝送、および媒体アクセス制御要素伝送のうちの少なくとも１つを含む、請求項２０に記載のユーザ機器。
【請求項２２】
前記プロセッサは、序列表を前記基地局から受信するように構成され、前記序列表は、アップリンク制御情報の伝送のための前記コンポーネントキャリアの各々に対する少なくとも１つの第１の序列を含む、請求項２０に記載のユーザ機器。
【請求項２３】
前記プロセッサは、前記コンポーネントキャリアのうちの少なくとも１つの無線信号条件に基づいて、前記コンポーネントキャリアのうちの前記少なくとも１つの前記少なくとも１つの第１の序列を修正するように構成されている、請求項２２に記載のユーザ機器。
【請求項２４】
前記プロセッサは、
信号伝達無線ベアラのうちの少なくとも１つの伝送、および媒体アクセス制御要素伝送のためのコンポーネントキャリアの各々に対して少なくとも１つの第２の序列を受信することと、
前記少なくとも１つの第２の序列を使用してアップリンク制御情報の伝送のためのコンポーネントキャリアの各々に対して少なくとも１つの第１の序列を識別することと
を行うように構成されている、請求項２０に記載のユーザ機器。
【請求項２５】
ユーザ機器を使用してアップリンク制御情報を基地局に通信する方法であって、
物理アップリンク共有チャネル（ＰＵＳＣＨ）伝送のためにスケージュリングされた前記ユーザ機器に対するコンポーネントキャリアを識別することと、
ＰＵＳＣＨ伝送が、第１のキャリア上にスケジューリングされている場合、アップリンク制御情報（ＵＣＩ）のための第１のキャリアを決定し、前記第１のキャリア上でＵＣＩを伝送し、ＰＵＳＣＨ伝送が、前記第１のキャリア上にスケジューリングされていない場合、ＰＵＳＣＨ伝送がスケジューリングされている前記コンポーネントキャリアのうちから第２のキャリアを選択し、前記第２のキャリア上でＵＣＩを伝送することと
を含む、方法。
【請求項２６】
前記第１のキャリアは、物理アップリンク制御チャネル（ＰＵＣＣＨ）を伝送するキャリアと同一である、請求項２５に記載の方法。
【請求項２７】
ユーザ機器を使用してアップリンク制御情報を基地局に通信する方法であって、
物理アップリンク共有チャネル（ＰＵＳＣＨ）伝送のためにスケージュリングされた前記ユーザ機器に対するコンポーネントキャリアを識別することと、
最低セルインデックスを有するコンポーネントキャリアを選択することと、
前記基地局への伝送のために、前記選択されたコンポーネントキャリア上でアップリンク制御情報を伝送することと
を含む、方法。
【請求項２８】
ユーザ機器（ＵＥ）であって、プロセッサを備え、
前記プロセッサは、
物理アップリンク共有チャネル（ＰＵＳＣＨ）伝送のためにスケージュリングされた前記ユーザ機器に対するコンポーネントキャリアを識別することと、
ＰＵＳＣＨ伝送が、第１のキャリア上にスケジューリングされている場合、アップリンク制御情報（ＵＣＩ）のための第１のキャリアを決定し、前記第１のキャリア上でＵＣＩを伝送し、ＰＵＳＣＨ伝送が、前記第１のキャリア上にスケジューリングされていない場合、ＰＵＳＣＨ伝送がスケジューリングされている前記コンポーネントキャリアのうちから第２のキャリアを選択し、前記第２のキャリア上でＵＣＩを伝送することと
を行うように構成されている、ＵＥ。
【請求項２９】
前記第１のキャリアは、物理アップリンク制御チャネル（ＰＵＣＣＨ）を伝送するキャリアと同一である、請求項２８に記載のＵＥ。
【請求項３０】
ユーザ機器（ＵＥ）であって、プロセッサを備え、
前記プロセッサは、
物理アップリンク共有チャネル（ＰＵＳＣＨ）伝送のためにスケージュリングされた前記ユーザ機器に対するコンポーネントキャリアを識別することと、
最低セルインデックスを有するコンポーネントキャリアを選択することと、
基地局への伝送のために、前記選択されたコンポーネントキャリア上でアップリンク制御情報を伝送することと
を行うように構成されている、ＵＥ。
【発明の詳細な説明】
【技術分野】
【０００１】
本発明は、概して、通信システムにおけるデータ通信に関し、より具体的には、キャリアアグリゲーションを実装する、ネットワークおよびデバイスにおける制御情報伝送のための方法ならびにシステムに関する。
【背景技術】
【０００２】
本明細書で使用される場合、用語「ユーザ機器」および「ＵＥ」は、携帯電話、携帯情報端末（ＰＤＡ）、ハンドヘルドまたはラップトップコンピュータ、および電気無線通信能力を有する、類似デバイスまたは他のユーザエージェント（「ＵＡ」）等の無線デバイスを指すことができる。いくつかの実施形態では、ＵＥは、モバイル無線デバイスを指し得る。用語「ＵＥ」はまた、デスクトップコンピュータ、セットトップボックス、またはネットワークノード等、類似能力を有するが、概して、可搬性ではない、デバイスを指し得る。
【０００３】
従来の無線電気通信システムでは、基地局内または他のネットワークノードの伝送機器は、セルとして知られる地理的領域を通して、信号を伝送する。技術の発展に伴って、より高度な機器が導入され、以前には可能ではなかったようなサービスを提供可能になっている。このような高度な機器として、例えば、従来の無線電気通信システム内の同等機器より高度に発展した基地局または他のシステムおよびデバイスではなく、進化型汎用地上無線アクセスネットワーク（Ｅ−ＵＴＲＡＮ）ノードＢ（ｅＮＢ）を含む場合がある。そのような高度または次世代機器は、本明細書では、ロングタームエボリューション（ＬＴＥ）と称され得、そのような機器を使用するパケットベースのネットワークは、進化型パケットシステム（ＥＰＳ）と称され得る。ＬＴＥシステムおよび機器へのさらなる改良は、ＬＴＥアドバンスド（ＬＴＥ−Ａ）システムをもたらし得る。本明細書で使用される場合、語句「基地局」は、ＵＥに電気通信システム内の他のコンポーネントへのアクセスを提供することができる、従来の基地局あるいはＬＴＥまたはＬＴＥ−Ａ（ｅＮＢを含む）基地局等の任意のコンポーネントまたはネットワークノードを指す。
【０００４】
Ｅ−ＵＴＲＡＮ等のモバイル通信システムでは、基地局は、１つ以上のＵＥへの無線アクセスを提供する。基地局は、ダウンリンクトラフィックデータパケット伝送を動的にスケジューリングし、アップリンクトラフィックデータパケット伝送リソースを基地局と通信するすべてのＵＥ間で配分するためのパケットスケジューラを備えている。スケジューラの機能は、とりわけ、ＵＥ間の利用可能な無線インターフェース能力を分割することと、各ＵＥのパケットデータ伝送のために使用される転送チャンネルを決定することと、パケット配分およびシステム負荷を監視することとを含む。スケジューラは、物理ダウンリンク共有チャネル（ＰＤＳＣＨ）および物理アップリンク共有チャネル（ＰＵＳＣＨ）データ伝送のためのリソースを動的に配分し、制御チャネルを通して、ＵＥにスケジューリング情報を送信する。
【０００５】
通信を促進するために、他のチャネルの中でもとりわけ、物理ダウンリンク制御チャネル（ＰＤＣＣＨ）を含む、複数の異なる通信チャネルが、基地局とＵＥとの間に確立される。その表示が含意するように、ＰＤＣＣＨは、ダウンリンクデータ通信の間、基地局に、ＵＥを制御させる、チャネルである。この目的を達成するために、ＰＤＣＣＨは、スケジューリング割当またはダウンリンク制御情報（ＤＣＩ）パケットと称される制御データパケットをＵＥに伝送し、スケジューリングを示すことであって、ＵＥは、スケジューリングを使用して、物理ダウンリンク共有チャネル（ＰＤＳＣＨ）上でダウンリンク通信トラフィックパケットを受信し、または物理アップリンク共有チャネル（ＰＵＳＣＨ）または物理アップリンク制御チャネル（ＰＵＣＣＨ）上でアップリンク通信トラフィックパケットを伝送する、こと、または、特定の命令（例えば、電力制御コマンド、ランダムアクセスプロシージャを行う順序、または半永続スケジューリングアクティブ化またはアクティブ解除）をＵＥに伝送することを行うために使用される。別個のＤＣＩパケットが、各トラフィックパケット／サブフレーム伝送のために、基地局によって、ＵＥに伝送され得る。
【０００６】
無線通信ネットワークでは、概して、基地局によってサービスされるＵＥのための高信号対干渉および雑音比（ＳＩＮＲ）を有する信号を使用して、高データレートサービス範囲を提供することが望ましい。典型的には、基地局に物理的に接近するそれらのＵＥのみ、非常に高いデータレートで動作することができる。また、満足のゆくＳＩＮＲにおいて、大規模な地理的面積にわたって、高データレートサービス範囲を提供するために、多数の基地局が、概して、要求される。そのようなシステムを実装するコストは、非常に高額となり得るため、広域高データレートサービスを提供するための代替技法に関する研究が行われている。
【０００７】
ある場合には、キャリアアグリゲーションを使用して、より広い伝送帯域幅をサポートし、ＵＥ、基地局、および／または他のネットワークコンポーネント間の通信のための潜在的ピークデータレートを増加させることができる。キャリアアグリゲーションでは、複数のコンポーネントキャリアが、アグリゲートされ、図１に示されるように、サブフレームにおいて、ＵＥに配分され得る。図１は、通信ネットワークにおけるキャリアアグリゲーションを示し、各コンポーネントキャリアは、帯域幅２０ＭＨｚを有し、総システム帯域幅は、１００ＭＨｚである。例証されるように、利用可能な帯域幅１００は、複数のキャリア１０２に分割される。本構成では、ＵＥは、ＵＥの能力に応じて、複数のコンポーネントキャリア（図１に示される実施例では、最大合計５つのキャリア１０２）上で受信または伝送し得る。ある場合には、ネットワーク配備に応じて、各コンポーネントキャリアが、２０ＭＨｚより小さい帯域幅を有することができるか、または、キャリアアグリゲーションが、同一帯域内に位置するキャリア１０２および／または異なる帯域内に位置するキャリア１０２で生じ得る。例えば、あるキャリア１０２は、２ＧＨｚに位置し得、第２のアグリゲートされたキャリアは、８００ＭＨｚに位置し得る。
【０００８】
多くのネットワークでは、ＵＥと基地局との間に確立された通信チャネルのうちの１つ以上の状態または条件を説明する情報を使用して、基地局が、最も有効なキャリアリソースをＵＥに効率的に配分するのを補助することができる。状態情報は、チャネル状態情報（ＣＳＩ）と称され、基地局とＵＥとの間に確立された特定のチャネルまたはキャリアに関連付けられる。ＣＳＩは、ダウンリンクキャリア上で観察された（ＵＥによって）チャネルの質に関する情報を基地局に提供する。
【０００９】
概して、ＣＳＩは、アップリンク制御情報（ＵＣＩ）内において、基地局に通信される。ある場合には、ＣＳＩに加え、ＵＣＩは、ダウンリンク上でのＰＤＳＣＨ伝送に応答する、ハイブリッド自動再送要求（ＨＡＲＱ）肯定応答／否定応答（ＡＣＫ／ＮＡＣＫ）情報を含む。システム実装に応じて、ＣＳＩは、チャネルの質情報として、チャネルの質インジケータ（ＣＱＩ）、序列指標（ＲＩ）、および／またはプリコーディングマトリクス指標（ＰＭＩ）のデータを含み得る。ＬＴＥ−Ａ（Ｒｅｌ−１０）の場合、前述のＲｅｌ−８形式に加え、他のタイプのチャネルの質情報が存在し得る。概して、チャネルの質インジケータ（ＣＱＩ）は、基地局が、適切な変調およびコーディング方式（ＭＣＳ）を選択するのを補助する。ＲＩは、ＵＥが、１つまたは複数の空間多重化層をサポートすることができるかどうかに関する指標を提供し、ＰＭＩは、ダウンリンク伝送のための好ましいマルチアンテナプリコーディングに関する情報を提供する。
【００１０】
Ｅ−ＵＴＲＡＮリリース８システムでは、概して、図２ａおよび２ｂに例証されるように、ＵＣＩをサブフレームにおいて伝送するための２つのアプローチが存在する。図２ａおよび２ｂは、それぞれ、ＰＵＣＣＨおよびＰＵＳＣＨリソース内でＵＣＩを伝送するための、例示的物理リソースマッピングの例証である。概して、ＲＢは、いくつかのリソース要素（ＲＥ）によって、形成される。ＲＥは、１２の周波数列および１４の時間行に配列され得る（例えば、図３参照）。故に、各ＲＥは、特定の時間／周波数の組み合わせに対応する。各時間行における要素の組み合わせは、単一キャリア−周波数分割多元接続（ＳＣ−ＦＤＭＡ）シンボルと称することができる。種々のタイプのデータは、各ＲＥまたはＲＥの組み合わせにおいて、通信することができる（図２ａおよび２ｂでは、要素１０１、１０３、および１０４はそれぞれ、ＲＥの組み合わせを含む）。
【００１１】
図２ａは、ＰＵＣＣＨを使用する伝送のためのサブフレーム構成を例証し、図２ｂは、ＰＵＳＣＨ構成を示す。両図は、ＲＢの下から上に周波数が増加する、２つのスロット（スロット０およびスロット１）を含む、サブフレームを示す。両図は、特定のサブフレームｎを示す。任意の時間において、ＵＥは、ＰＵＣＣＨまたはＰＵＳＣＨのいずれか上においてのみ、ＵＣＩを伝送し得る。したがって、図２ａまたは図２ｂのいずれかに示される、サブフレーム構成の１つのみ、アップリンクにおいて、単一キャリア特性を維持するために、特定の時間において、ＵＥによって伝送することができる。
【００１２】
ＰＵＣＣＨリソースは、概して、システム帯域幅のエッジに位置し、異なる周波数リソースが、スロット０およびスロット１のために使用され、周波数ダイバーシティ利得を達成する。故に、図２ａでは、ＰＵＣＣＨブロック１０１は、最高システム帯域幅における、ＲＢの上部に位置し、ＰＵＣＣＨブロック１０３は、最低システム帯域幅における、ＲＢの下部に位置する。概して、精密なＰＵＣＣＨリソースは、ＰＤＣＣＨ呼制御要素（ＣＣＥ）インデックスを使用して、構成されている、または暗黙的にマップされる。両ＰＵＣＣＨリソース１０１および１０３は、ＵＥが、同一サブフレーム内でＰＵＳＣＨ構成（図２ｂ参照）を使用して伝送しない限り、利用可能なＰＵＣＣＨリソース内でＵＣＩを伝送するために使用することができる。
【００１３】
図２ｂを参照すると、ＵＥが、サブフレームｎにおいて、ＰＵＳＣＨを使用して伝送している場合、ＵＣＩ情報は、ＰＵＳＣＨ内で伝送され得る。図２ｂに示されるように、ＰＵＳＣＨ１０４は、利用可能なシステム帯域幅の中心領域を占有し、ｔｈｅＵＣＩは、ＰＵＳＣＨ１０４内に含まれ得る。
【００１４】
ＰＵＳＣＨ内でＵＣＩを伝送する場合、ＵＣＩは、アップリンク−共有チャネル（ＵＬ−ＳＣＨ）に多重化される。図３は、ＲＢが、ＰＵＳＣＨのためにスケジューリングされると仮定した、ＵＬ−ＳＣＨへのＵＣＩの例示的多重化の例証である。図３に見られるように、符号化ＣＱＩ／ＰＭＩビット１１０は、インタリービング前、利用可能なＰＵＳＣＨリソースの開始に位置し得る。ＣＱＩまたはＰＭＩ伝送による、データパンクチャリングを回避するために、ＵＬ−ＳＣＨデータは、レート整合され、残りのリソースによって伝送される。符号化ＡＣＫ／ＮＡＣＫビット１１２は、ＵＬ−ＳＣＨデータのシンボルをパンクチャリングすることによって、チャネルインターリーバ内のＵＬ−ＳＣＨデータによって、多重化することができる。ＨＡＲＱ  ＡＣＫ／ＮＡＣＫシンボル１１２の場所は、概して、ＨＡＲＱ  ＡＣＫ／ＮＡＣＫビット１１２のための最良チャネル予測を達成するために、基準信号（ＲＳ）１１４として使用される、ＳＣ−ＦＤＭＡシンボルに隣接する。序列指標（ＲＩ）ビット１１６は、時間次元において、ＨＡＲＱ  ＡＣＫ／ＮＡＣＫシンボルに隣接して位置することができるが、ＡＣＫ／ＮＡＣＫとは異なり、ＵＬ−ＳＣＨデータは、ＲＩリソース１１６に対応するように、レート整合され得る。
【００１５】
概して、ＰＵＳＣＨ伝送では、ＨＡＲＱ−ＡＣＫおよびＲＩのための符号化シンボルの数は、は、以下の式（１）を使用して、計算される（例えば、ＴＳ３６．２１２第５．２．４．１節「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｉｄｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  ＲａｄｉｏＡｃｃｅｓｓ（Ｅ−ＵＴＲＡ）；Ｍｕｌｔｉｐｌｅｘｉｎｇ  ａｎｄ  ｃｈａｎｎｅｌ  ｃｏｄｉｎｇ（Ｒｅｌｅａｓｅ８）」参照）：
【００１６】
【数１】
2013526216.tif 000003
式（１）では、Ｏは、ＡＣＫ／ＮＡＣＫビットまたは序列インジケータビットの数であって、
【００１７】
【数１−１】
2013526216.tif 000004
は、転送ブロックのための現在のサブフレームにおけるＰＵＳＣＨ伝送に対してスケジューリングされた帯域幅（ＴＳ３６．２１１「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｉｄｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｃｈａｎｎｅｌｓ  ａｎｄ  ｍｏｄｕｌａｔｉｏｎ（Ｒｅｌｅａｓｅ８）」では、サブキャリアの数として表される）であって、
【００１８】
【数２】
2013526216.tif 000005
は、ＰＵＳＣＨのための振幅倍率であって、
【００１９】
【数３】
2013526216.tif 000006
は、
【００２０】
【数４】
2013526216.tif 000007
によって求められる、同一転送ブロックのための初期ＰＵＳＣＨ伝送に対するサブフレームあたりのＳＣ−ＦＤＭＡシンボルの数であって、式中、ＮＳＲＳは、ＵＥが、初期伝送のための同一サブフレームにおいて、ＰＵＳＣＨおよびＳＲＳを送信するように構成されている場合、または初期伝送のためのＰＵＳＣＨリソース配分が、部分的にでも、ＴＳ３６．２１１の第５．５．３節「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｉｄｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｃｈａｎｎｅｌｓ  ａｎｄ  ｍｏｄｕｌａｔｉｏｎ（Ｒｅｌｅａｓｅ８）」に定義される、セル特定のＳＲＳサブフレームおよび帯域幅構成と重複する場合、１に等しい。そうでなければ、ＮＳＲＳは、０に等しい。
【００２１】
【数５】
2013526216.tif 000008
は、同一転送ブロックのための初期ＰＤＣＣＨから、取得されることができる。故に、式（１）は、ＰＵＳＣＨサブフレーム内にエンコードコードされるべき最小数のＨＡＲＱ  ＡＣＫ／ＮＡＣＫビットを定義する。
【００２２】
概して、チャネルの質情報（ＣＱＩおよび／またはＰＭＩ）のための符号化シンボルの実際の数は、式（２）を使用して、決定することができる（例えば、ＴＳ３６．２１２の第５．２．４．１節「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｉｄｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｍｕｌｔｉｐｌｅｘｉｎｇ  ａｎｄ  ｃｈａｎｎｅｌ  ｃｏｄｉｎｇ（Ｒｅｌｅａｓｅ８）」参照）。
【００２３】
【数６】
2013526216.tif 000009
式（２）では、Ｏは、ＣＱＩビットの数であって、Ｌは、
【００２４】
【数７】
2013526216.tif 000010
ＱＣＱＩ＝Ｑｍ・Ｑ’、および、
【００２５】
【数８】
2013526216.tif 000011
、それぞれによって求められる周期的冗長検査（ＣＲＣ）ビットの数であって、式中、
【００２６】
【数９】
2013526216.tif 000012
は、ＴＳ３６．２１３「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｉｄｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｌａｙｅｒ  ｐｒｏｃｅｄｕｒｅｓ（Ｒｅｌｅａｓｅ８）」に従って、決定され得る。序列インジケータが、伝送されない場合、ＱＲＩ＝０である。
【００２７】
【数１０】
2013526216.tif 000013
は、同一転送ブロックのための初期ＰＤＣＣＨから、取得されることができる。
【００２８】
Ｅ−ＵＴＲＡＮ  Ｒｅｌｅａｓｅ８システムでは、ＵＥ内でサポートされる複数のアプリケーションは、異なるサービスの質（ＱｏＳ）要件を有し得る。例えば、ＶｏＩＰサービスは、より小さい遅延要件を要求し得る一方、ファイル転送プロトコル（ＦＴＰ）アプリケーションは、遅延に対してより寛容であり得る。異なるＱｏＳをサポートするために、異なる無線ベアラが構成され得、各ベアラは、特定のＱｏＳに関連付けられ得る。
【００２９】
アップリンクチャネル上では、各無線ベアラは、別個の論理チャネル上にマップする。図４は、種々のアップリンク無線ベアラから、アップリンク論理チャネル、アップリンク転送チャネル、最後に、アップリンク物理チャネルへのマッピングを示す、例証である。図４を参照すると、信号伝達無線ベアラ（ＳＲＢ）１５０は、制御プレーン信号伝達メッセージを搬送することができる。例えば、ＳＲＢ０は、ＵＥが、ＤＣＣＨ（専用制御チャネル）と通常接続を有していない場合のみ使用される、共通制御チャネル（ＣＣＣＨ）に対応し得る。他の２つのＳＲＢ１５０は、例えば、接続が確立された後、別個のＤＣＣＨにマップし得る。ＳＲＢ１は、無線リソース構成（ＲＲＣ）から生じる制御プレーンメッセージを搬送するために使用することができ、ＳＲＢ２は、非アクセス階層（ＮＡＳ）から生じる、カプセル化された制御プレーンメッセージを搬送するために使用することができる。データ無線ベアラ（ＤＲＢ）１５４は、ユーザプレーントラフィックを搬送することができる。別個の専用トラフィックチャネル（ＤＴＣＨ）は、各アクティブＤＲＢのために設定され得る。
【００３０】
図４では、アップリンク論理チャネルの各々は、転送チャネルレベルにおいて、ＵＬ−ＳＣＨ１５４にマップし、順に、物理チャネルレベルにおいて、ＰＵＳＣＨ１５６にマップする。別個に、ランダムアクセスチャネル（ＲＡＣＨ）１５８転送チャネルは、ランダムアクセスを行うために、物理ＲＡＣＨ（ＰＲＡＣＨ）１６０にマップし、ＰＵＣＣＨ物理チャネル１６２は、物理層信号伝達を基地局に搬送する。
【００３１】
加えて、ＵＥは、アップリンクチャネル上で媒体アクセス制御（ＭＡＣ）制御要素（ＭＡＣ  ＣＥ）を伝送し、制御信号伝達を基地局に通信し得る。ＭＡＣ制御要素は、アップリンク上で基地局に伝送される、ＭＡＣプロトコルデータユニット（ＰＤＵ）内に含まれる、短い（例えば、数バイトの）信号伝達メッセージであり得る。例えば、Ｒｅｌ−８ＭＡＣ制御要素は、セル無線ネットワーク一時識別子（Ｃ−ＲＮＴＩ）ＭＡＣ  ＣＥ、バッファ状態報告（ＢＳＲ）ＭＡＣ  ＣＥ、および使用可能送信電力情報（ＰＨＲ）ＭＡＣ  ＣＥを含み得る。
【００３２】
ＭＡＣ  ＣＥ（適切である場合）は、最初に、任意の新しいアップリンク伝送配分にスケジューリングされ得る。概して、ＭＡＣ  ＣＥは、パディングＢＳＲを除き、（例えば、ＤＣＣＨまたはＤＴＣＨからの）論理チャネルトラフィックより高い優先度を有する。（例えば、ＳＲＢ０からの）ＵＬ−ＣＣＣＨトラフィックもまた、ＭＡＣ制御要素より高い優先度を有し得る。
【００３３】
Ｒｅｌｅａｓｅ８では、ＵＣＩは、ＵＬ−ＳＣＨ伝送のためのＰＵＳＣＨリソースが、スケジューリングされおり、利用可能であるかどうかに応じて、ＰＵＣＣＨまたはＰＵＳＣＨのいずれか上で伝送することができる。しかしながら、キャリアアグリゲーションを提供する、より新しいネットワーク実装では、ＵＥは、複数のアップリンクキャリア上でＰＵＳＣＨを同時に伝送するようにスケジューリングされ、ピークデータレートを増加させ得る。しかしながら、いくつかのネットワーク実装では、単一キャリアのみ、ＵＥから、ＰＵＣＣＨ内のＵＣＩ伝送のために配分され得る。その場合、単一ＵＥ特定のＵＬコンポーネントキャリア（ＣＣ）が、ＵＥからのＰＵＣＣＨ  ＵＣＩを搬送するために、半静的に構成される。そのような実装では、複数のＵＬ  ＣＣが、ＰＵＳＣＨによって、データを伝送するように構成されている場合でも、１つのＵＬ  ＣＣのみがＵＣＩ伝送のためのＰＵＣＣＨを伝送するように構成される。これは、制御信号伝達のための単一キャリアのみオンにすることによって、ＵＥバッテリ電力消費を低減させ得る。加えて、単一伝送電力制御（ＴＰＣ）コマンドのみで、ＰＵＣＣＨ電力を制御するために十分であるので、制御信号伝達オーバーヘッドを低減させるために有益であり得る。
【００３４】
ある場合には、ＵＣＩおよびデータの同時伝送もまた、ネットワーク内でサポートされ得る。その場合、ＵＣＩは、データ伝送のために、ＰＵＳＣＨとともに、ＰＵＣＣＨ上で伝送され得る。そのような実装では、単一キャリア特性は、例えば、クラスタ化された離散フーリエ変換−拡散−直交周波数分割多重（ＤＦＴ−Ｓ−ＯＦＤＭ）の導入によって、軽減され得る。しかしながら、そのような実装では、ＰＵＣＣＨおよびＰＵＳＣＨの同時伝送は、特に、キャリア内において、ＰＵＣＣＨとＰＵＳＣＨとの間の相互変調のため、より大きな電波放出を生じさせ得、ＰＵＣＣＨとＰＵＳＣＨとの間の伝送電力差は、異なるデータレートのため、比較的に大きい可能性が高い。
【００３５】
概して、より新しいネットワークでは、ＬＴＥ−Ａ  ＵＥは、複数のＤＬキャリア上のＤＬ伝送をサポートし得、利用可能なキャリアの各々に対するＣＱＩ／ＰＭＩ／ＲＩフィードバックが、ＵＥによって、基地局に通信され、スケジューリングされたキャリアの各々に対するＨＡＲＱＡＣＫ−ＮＡＣＫフィードバックが、要求されるであろうため、ＵＣＩのペイロードは、Ｒｅｌｅａｓｅ８のものより大きくなることが予期される。したがって、ＵＣＩのペイロードは、アクティブＤＬキャリアの数に伴って、線形に増加し得る。例えば、Ｒｅｌｅａｓｅ８では、ＨＡＲＱ−ＡＣＫビットの数は、概して、周波数分割複信（ＦＤＤ）に対して、１ビットまたは２ビットであって、時分割複信（ＴＤＤ）に対して、１−４ビットである。表１は、スケジューリングされたダウンリンクキャリアの数およびコードワードの数に応じて、ＨＡＲＱ−ＡＣＫデータに対して要求されるビットを示す。値は、ＰＤＣＣＨが、複数のキャリア上でＰＤＳＣＨをスケジューリングするために別個に伝送されるので、ＡＣＫ、ＮＡＣＫ、およびＤＴＸ指標が、各キャリアに対して必要とされると仮定して、計算される。２つのコードワードの場合、５つの指標値が、第１のコードワードに対するＡＣＫ／ＮＡＣＫ、第２のコードワードに対するＡＣＫ／ＮＡＣＫ、およびＰＤＣＣＨ誤検出に対するＤＴＸとして、必要とされる。すなわち、ＵＥは、２つのコードワード（Ａ＝ＡＣＫ、Ｎ＝ＮＡＣＫ）の場合、以下の５つの異なる状態：（Ａ，Ａ），（Ａ，Ｎ），（Ｎ，Ａ），（Ｎ，Ｎ）、およびＤＴＸを信号伝達可能である必要がある。表１に示されるように、キャリアの数が増加するのに伴って、コードワードが、二重または単一コードワードであるかどうかに関わらず、各コードワードに対して要求されるビットの数も増加する。
【００３６】
【表１】
2013526216.tif 000014
ＵＥによって伝送されるべきＵＣＩデータの増加の結果、伝送におけるレート整合またはパンクチャリングのため、データ伝送のための利用可能なＵＬ−ＳＣＨリソースを減少させる。これは、特に、パンクチャリングが、一般的であり得る、ＨＡＲＱ−ＡＣＫ伝送に当てはまる。ＵＣＩによる、利用可能なＵＬ−ＳＣＨリソースの減少を最小にするために、基地局は、ＰＵＳＣＨリソースを増加させることができる。例えば、ＵＣＩが、ＰＵＳＣＨ内で伝送され、ＰＵＳＣＨリソースが、初期伝送のために動的にスケジューリングされる場合、ＰＵＳＣＨリソースは、ＵＣＩ伝送のためのリソースに対応するように増加させることができる。しかしながら、ＵＣＩが、ＵＬ−ＳＣＨデータの再伝送のためのＰＵＳＣＨまたは半永続にスケジューリングされたＰＵＳＣＨリソース内で伝送される必要がある場合、ＰＵＳＣＨリソースを増加させるのは、困難であり得る。この場合、ＵＣＩを伴う伝送は、ＵＣＩ伝送によって生じるパンクチャリング損失により、正常に受信されないことがあるので、データを再伝送する必要があり得る。増加された伝送の数は、データが、遅延センシティブではない場合、例えば、ＦＴＰまたはＴＣＰ  ＩＰデータの場合、有害ではないであろう。しかしながら、増加された伝送の数は、遅延センシティブデータ、例えば、ＶｏＩＰまたはＭＡＣ信号伝達（例えば、ＭＡＣ制御要素）、または測定報告を含む、ＲＲＣ信号伝達メッセージ、あるいは他の高優先度データトラフィックの性能に悪影響を及ぼし得る。
【発明の概要】
【課題を解決するための手段】
【００３７】
本発明は、概して、通信システムにおけるデータ通信に関し、より具体的には、キャリアアグリゲーションを実装するネットワークおよびデバイスにおける制御情報伝送のための方法ならびにシステムに関する。
【００３８】
いくつかの実施形態は、ユーザ機器を使用してアップリンク制御情報を基地局に通信する方法を含む。方法は、物理アップリンク共有チャネル（ＰＵＳＣＨ）伝送のためにスケージュリングされたユーザ機器に対するコンポーネントキャリアを識別することと、アップリンク制御情報の伝送のためのコンポーネントキャリアの各々に対する少なくとも１つの第１の序列を識別することとを含む。各第１の序列は、コンポーネントキャリアが遅延センシティブ伝送のために構成されているかどうかによって、少なくとも部分的に決定される。方法は、少なくとも１つの第１の序列を使用してアップリンク制御情報の伝送のために第１のコンポーネントキャリアを選択することと、基地局への伝送のために、アップリンク制御情報を第１のコンポーネントキャリアにエンコードすることとを含む。
【００３９】
他の実施形態は、ユーザ機器を使用してアップリンク制御情報を基地局に通信する方法を含む。方法は、物理アップリンク共有チャネル（ＰＵＳＣＨ）伝送のためにスケージュリングされたユーザ機器に対するコンポーネントキャリアを識別することを含む。コンポーネントキャリアのうちの１つ以上が、非遅延センシティブ伝送のために構成されている場合、方法は、非遅延センシティブ伝送のために構成されているコンポーネントキャリアのうちの１つ以上を識別することと、アップリンク制御情報の伝送のためのコンポーネントキャリアのうちの１つ以上から、第１のコンポーネントキャリアを選択することとを含む。方法は、基地局への伝送のために、アップリンク制御情報を第１のコンポーネントキャリアにエンコードすることを含む。
【００４０】
他の実施形態は、ハイブリッド自動再送要求（ＨＡＲＱ）肯定応答／否定応答（ＨＡＲＱ  ＡＣＫ／ＮＡＣＫ）シンボルを物理アップリンク共有チャネル（ＰＵＳＣＨ）上に配分する方法を含む。方法は、ＰＵＳＣＨサブフレーム内のＨＡＲＱ  ＡＣＫ／ＮＡＣＫ伝送のための第１の数の配分されたシンボルを識別することを含む。方法は、キャリアアグリゲーションを実装すると、ＨＡＲＱ  ＡＣＫ／ＮＡＣＫ伝送のために配分されたシンボルの数を増加させることと、増加された配分されたシンボルの数を使用して、ＰＵＳＣＨサブフレーム内でＨＡＲＱ  ＡＣＫ／ＮＡＣＫデータを伝送することとを含む。
【００４１】
他の実施形態は、ユーザ機器を使用してアップリンク制御情報を基地局に通信する方法を含む。方法は、第１の物理アップリンク共有チャネル（ＰＵＳＣＨ）サブフレームのパンクチャリング比率を決定することを含む。パンクチャリング比率は、アップリンク共有チャネル（ＵＬ−ＳＣＨ）データのために配分されたＰＵＳＣＨサブフレーム内のシンボルに対するアップリンク制御情報のために配分されたＰＵＳＣＨサブフレーム内のシンボルの比率を識別する。パンクチャリング比率が、閾値を上回る場合、方法は、ＰＵＳＣＨサブフレームにおいてエンコードされたアップリンク共有チャネル（ＵＬ−ＳＣＨ）データの量を低減させることを含む。
【００４２】
他の実施形態は、物理アップリンク共有チャネル（ＰＵＳＣＨ）伝送のためにスケジューリングされたユーザ機器に対するコンポーネントキャリアを識別し、アップリンク制御情報の伝送のためのコンポーネントキャリアの各々に対する少なくとも１つの第１の序列を識別するように構成されているプロセッサを含むユーザ機器を含む。各第１の序列は、コンポーネントキャリアが遅延センシティブ伝送のために構成されているかどうかによって、少なくとも部分的に決定される。プロセッサは、少なくとも１つの第１の序列を使用してアップリンク制御情報の伝送のための第１のコンポーネントキャリアを選択し、基地局への伝送のために、アップリンク制御情報を第１のコンポーネントキャリアにエンコードするように構成されている。
【００４３】
他の実施形態は、物理アップリンク共有チャネル（ＰＵＳＣＨ）伝送のためにスケジューリングされたユーザ機器に対するコンポーネントキャリアを識別するように構成されているプロセッサを含むユーザ機器を含む。コンポーネントキャリアのうちの１つ以上が、非遅延センシティブ伝送のために構成されている場合、プロセッサは、非遅延センシティブ伝送のために構成されているコンポーネントキャリアのうちの１つ以上を識別し、アップリンク制御情報の伝送のためのコンポーネントキャリアのうちの１つ以上から、第１のコンポーネントキャリアを選択するように構成されている。プロセッサは、基地局への伝送のために、アップリンク制御情報を第１のコンポーネントキャリアにエンコードするように構成されている。
【００４４】
したがって、前述および関連目的を達成するために、本発明は、以下に完全に説明される特徴を備えている。以下の説明および付随の図面は、本発明の詳細なある例証的側面を説明する。しかしながら、これらの側面は、本発明の原理を採用することができる、種々の方法を示すものであるが、それらのいくつかにすぎない。本発明の他の側面および新規特徴は、図面と照らして検討されることによって、以下の本発明の発明を実施するための形態から明白となるであろう。
【００４５】
本開示をより完全に理解するために、添付の図面および発明を実施するための形態と併せて理解される、以下の簡単な説明を参照し、同一参照数字は、同一部品を表す。
【図面の簡単な説明】
【００４６】
【図１】図１は、通信ネットワークにおけるキャリアアグリゲーションを示し、各コンポーネントキャリアは、帯域幅２０ＭＨｚを有し、総システム帯域幅は、１００ＭＨｚである。
【図２】図２ａおよび図２ｂは、それぞれ、ＰＵＣＣＨおよびＰＵＳＣＨ内でＵＣＩを伝送するための例示的物理リソースマッピングの例証である。
【図３】図３は、ＲＥを含むＲＢを示す、ＵＬ−ＳＣＨへのＵＣＩデータの例示的多重化の例証である。
【図４】図４は、種々のアップリンク無線ベアラから、アップリンク論理チャネル、アップリンク転送チャネル、最後に、アップリンク物理チャネルへのマッピングを示す、例証である。
【図５】図５ａ、図５ｂ、および図５ｃは、特定のＵＥに配分されたＣＣの例示的集合の例証であって、ＵＥが、どのようにＵＣＩ伝送のための利用可能なＣＣの組の特定のＣＣを選択するように構成されているかを示す。
【図６】図６は、ＵＥが、ＵＣＩ伝送のための１つ以上のＵＬ  ＣＣを選択する方法におけるステップを例証する。
【図７】図７は、増加された数のＨＡＲＱ−ＡＣＫシンボルのための候補場所を示す、例示的サブフレームの例証である。
【図８】図８は、本開示の種々の実施形態のうちのいくつかに対して、動作可能なＵＥを含む、無線通信システムの図である。
【図９】図９は、本開示の種々の実施形態のうちのいくつかに対して、動作可能なＵＥのブロック図である。
【図１０】図１０は、本開示の種々の実施形態のうちのいくつかに対して、動作可能なＵＥに実装され得る、ソフトウェア環境の図である。
【図１１】図１１は、本開示の種々の実施形態のうちのいくつかに対して、好適な例証的汎用コンピュータシステムである。
【発明を実施するための形態】
【００４７】
次に、付随の図面を参照して、本発明の種々の側面を説明するが、同一番号は、全体を通して、同一または対応要素を指す。しかしながら、図面およびそれに関連する発明を実施するための形態は、請求される主題を開示される特定の形態に限定することを意図するものではないことを理解されたい。むしろ、請求される主題の精神および範囲内にある、修正、均等物、および代替をすべて網羅することが意図される。
【００４８】
本明細書で使用される場合、用語「コンポーネント」、「システム」等は、実行時のハードウェア、ハードウェアとソフトウェア、ソフトウェアの組み合わせ、またはソフトウェアのいずれかである、コンピュータ関連エンティティを指すことが意図される。例えば、コンポーネントは、プロセッサ上で起動するプロセス、プロセッサ、オブジェクト、実行ファイル、実行のスレッド、プログラム、および／またはコンピュータであり得るが、それらに限定されない。例証として、コンピュータ上で起動するアプリケーションおよびコンピュータは両方とも、コンポーネントであり得る。１つ以上のコンポーネントは、プロセスおよび／または実行のスレッド内に常駐し得、コンポーネントは、１つのコンピュータ上にローカライズされ得、および／または２つ以上のコンピュータに分散され得る。
【００４９】
単語「例示的」とは、本明細書では、実施例、事例、または例証としての役割を果たす意味として使用される。「例示的」として本明細書に説明される任意の側面または設計は、必ずしも、他の側面あるいは設計よりも好ましいあるいは有利であると解釈されるものではない。
【００５０】
さらに、開示される主題は、標準的プログラミングおよび／またはエンジニアリング技術を使用して、ソフトウェア、ファームウェア、ハードウェア、またはそれらの任意の組み合わせを生成し、コンピュータまたはプロセッサベースのデバイスを制御し、本明細書に詳述される側面を実装する、システム、方法、装置、または製造品として実装され得る。用語「製品」（または代替として、「コンピュータプログラム製品」）は、本明細書で使用される場合、任意のコンピュータ可読デバイス、キャリア、または媒体からアクセス可能なコンピュータプログラムを包含することが意図される。例えば、コンピュータ可読媒体は、磁気記憶デバイス（例えば、ハードディスク、フロッピー（登録商標）ディスク、磁気ストライプ・・・）、光ディスク（例えば、コンパクトディスク（ＣＤ）、デジタル多用途ディスク（ＤＶＤ）・・・）、スマートカード、およびフラッシュメモリデバイス（例えば、カード、スティック）を含むことが可能であるが、それらに限定されない。加えて、キャリアは、電子メールの送受信の際、あるいはインターネットまたはローカルエリアネットワーク（ＬＡＮ）等のネットワークへのアクセスの際に使用されるもの等、コンピュータ可読電子データを搬送するために採用可能であることを理解されたい。当然ながら、当業者は、請求される主題の範囲または精神から逸脱することなく、多くの修正が、本構成に成され得ることを認識するであろう。
【００５１】
ＬＴＥ−Ａでは、ＵＥは、基地局構成およびＵＥ能力に応じて、複数のＵＬ  ＣＣにわたって、ＵＬデータを伝送することができる。各ＵＥに対して、いくつかの利用可能なＵＬ  ＣＣは、ＵＥが、基地局に接続される場合、構成されることができる。利用可能なＣＣの各々内で生じる、ＰＵＳＣＨリソースは、次いで、基地局によりＵＥに動的に伝送されるＵＬグラントによって、または、Ｒｅｌｅａｓｅ８に類似する半永続スケジューリング（ＳＰＳ）配分を通して、配分されることができる。
【００５２】
複数のＵＬ  ＣＣが、サブフレームにおいて、ＵＥに配分され、ＵＣＩが、伝送される必要がある場合、ＵＣＩは、スケジューリングされたＣＣのいずれかを使用して、伝送され得る。利用可能なＵＬ  ＣＣのいずれか（例えば、各ＵＬ  ＣＣに対するＵＣＩは、その特定のＣＣを使用して、基地局に伝送される）が、使用され得るが、概して、ＵＬ  ＣＣが、異なるＱｏＳ設定を使用してデータを伝送する場合、そのようにすることは、望ましくない。異なるＱｏＳは、各伝送において、異なるレベルのパンクチャリング損失をもたらす。特定のＣＣを使用して遅延センシティブデータを伝送する場合、そのＣＣを使用してＵＣＩを伝送することによって、著しいパンクチャリングが生じる得る。しかしながら、損失は、パンクチャリングから生じるデータ再伝送による遅延をもたらし得るので、遅延センシティブ通信におけるパンクチャリング損失を回避することが重要でる。故に、非遅延センシティブデータを搬送するように構成されている、利用可能なＵＬ  ＣＣの特定のものを使用して、ＵＣＩを伝送することが好ましいであろう。
【００５３】
本システムでは、ＵＥは、複数のＵＬ  ＣＣが、ＰＵＳＣＨを伝送するために配分される場合、遅延センシティブデータを搬送しない、ＣＣを使用して、ＵＣＩを伝送するように構成されている。したがって、ＵＥは、高ＱｏＳ通信のために構成されている、ＣＣを使用して、ＵＣＩを伝送することを回避することができる。一実装では、遅延センシティブ伝送は、１）半永続スケジューリング（ＳＰＳ）によって配分されたリソースを使用するもの、２）信号伝達無線ベアラ（ＳＲＢ）伝送、例えば、ＳＲＢ１、３）ＭＡＣ  ＣＥ伝送、および、４）他の高優先度トラフィックを含む。したがって、概して、ＵＥは、特定のＣＱＩインデックスを伴うデータを伝送するＣＣ等、低遅延を要求する、ＣＣの使用を回避する。例えば、ＵＥは、ＴＳ２３．２０３ｖ８．９．０に定義されるように、遅延割当量が５０ｍｓである、３のＣＱＩインデックスを有する、ＣＣを回避し得る。
【００５４】
実施例として、図５ａ、５ｂ、および５ｃは、特定のＵＥに配分されたＣＣの例示的集合の例証であって、ＵＥが、どのようにＵＣＩ伝送のために利用可能なＣＣの組の特定のＣＣを選択するように構成されるかを示す。図５ａでは、２つのキャリア、ＣＣ１およびＣＣ３が、ＵＥ上でアクティブ化され、それぞれ、ＰＵＳＣＨ１およびＰＵＳＣＨ２を伝送するようにスケジューリングされる。ＰＵＳＣＨ１またはＰＵＳＣＨ２のいずれかをＵＣＩの伝送のために使用することができるが、ＰＵＳＣＨ１は、ＳＰＳのために配分される一方、ＰＵＳＣＨ２は、動的グラントによって、配分される。したがって、ＳＰＳリソースは、半静的データレート（例えば、ＶｏＩＰ）を要求し、最小遅延（すなわち、遅延センシティブ通信）を要求する、データを伝送するために使用される可能性が高い。したがって、本システムでは、ＵＥは、ＰＵＳＣＨ１を使用する、ＵＣＩの伝送を回避するように構成される。代わりに、ＵＥは、ＰＵＳＣＨ２を使用して、ＵＣＩを伝送する。ＰＵＳＣＨ２にＵＣＩを含むことは、ＰＵＳＣＨ２内に含まれる、データのパンクチャリングをもたらし得るが、ＰＵＳＣＨ２は、ＰＵＳＣＨ１より、遅延センシティブデータを伝送する可能性が低い（ＰＵＳＣＨ２は、ＳＰＳのために配分されていない）ので、ＰＵＳＣＨ２データの再伝送は、ＰＵＳＣＨ１データの再伝送より容認可能である。
【００５５】
図５ｂでは、３つのキャリア、ＣＣ１、ＣＣ３、およびＣＣ４が、ＵＥに配分され、それぞれ、ＰＵＳＣＨ１、ＰＵＳＣＨ２、およびＰＵＳＣＨ３を伝送するためにスケジューリングされる。ＰＵＳＣＨ１は、ＳＰＳのために配分される一方、ＰＵＳＣＨ２およびＰＵＳＣＨ３は両方とも、動的グラントによって、配分される。概して、ＳＰＳリソースは、半静的データレート（例えば、ＶｏＩＰ）を要求し、厳格な遅延要件を伴う、データを伝送するために使用される可能性が高い。故に、ＵＥは、ＰＵＳＣＨ１の再伝送を回避するように構成される。同様に、ＰＵＳＣＨ２は、遅延なく送達される必要がある、ＳＲＢを伝送するので、ＵＥは、ＰＵＳＣＨ２の再伝送を回避するように構成される。故に、本システムでは、ＵＥは、動的グラントによって、配分され、本実施例では、ＤＲＢを伝送するように構成される、ＰＵＳＣＨ３において、ＵＣＩを伝送するように構成される。
【００５６】
図５ｃでは、４つのキャリア、ＣＣ１、ＣＣ３、ＣＣ４、およびＣＣ５が、ＵＥに配分され、それぞれ、ＰＵＳＣＨ１、ＰＵＳＣＨ２、ＰＵＳＣＨ３、およびＰＵＳＣＨ４を伝送するようにスケジューリングされる。ＰＵＳＣＨ１は、ＳＰＳのために配分される一方、ＰＵＳＣＨ２およびＰＵＳＣＨ３は両方とも、動的グラントによって、配分される。概して、ＳＰＳリソースは、半静的データレート（例えば、ＶｏＩＰ）を要求し、厳格な遅延要件を伴う、データを伝送するために使用される可能性が高い。故に、ＵＥは、ＰＵＳＣＨ１の再伝送を回避するように構成される。同様に、ＰＵＳＣＨ２は、遅延なく送達される必要がある、ＳＲＢを伝送するため、ＵＥは、ＰＵＳＣＨ２の再伝送を回避するように構成される。ＰＵＳＣＨ３およびＰＵＳＣＨ４は両方とも、動的グラントによって、配分され、したがって、遅延により寛容な通信を搬送し得る。本実施例では、動的グラントによって、配分され、通常ＤＲＢを伝送するために使用される、２つのＵＬ  ＣＣが存在するので、ＵＥは、ＰＵＳＣＨ３またはＰＵＳＣＨ４のいずれかにおいて、ＵＣＩを伝送するように構成される。例えば、ＵＥは、ＵＣＩの伝送のために、ＰＵＳＣＨ３およびＰＵＳＣＨ４のうちの１つを選択し得る（図５ｃでは、ＵＣＩは、ＰＵＳＣＨ４においてのみ伝送される）。代替として、ＵＣＩは、ＰＵＳＣＨ３およびＰＵＳＣＨ４の両方に分散することができる。
【００５７】
単一ＰＵＳＣＨキャリアのみ、ＵＥに配分され、ＵＣＩ伝送のために利用可能である場合、パンクチャリング損失は、回避不可能であり得る。パンクチャリング損失が、深刻であって、頻繁に発生する場合、基地局は、ＨＡＲＱ遅延を低減させるための他の方法を検討し得る。例えば、より保守的ＭＣＳは、低遅延要件データのために選択することができる。しかしながら、保守的ＭＣＳは、同一情報ビットレートを達成するために、追加の無線リソースを要求し得る。したがって、それは、ＰＵＳＣＨが伝送される場合に、ＵＣＩが常に伝送されるわけではないとすると、リソース利用の観点から効率的ではないであろう。すなわち、ＵＣＩが、伝送されない場合、過度に保守的ＭＣＳによる、パンクチャリングされないＰＵＳＣＨ伝送は、そうでなければ、他のＵＥに割り当てられ得る、セルのアップリンク無線リソースの非効率的使用を表すであろう。
【００５８】
ある場合には、基地局は、ＵＥに、ＵＣＩ伝送のために最も適切なＣＣを選択させる、キャリア序列をＵＥに示す。序列は、複数のキャリアが、ＰＵＳＣＨ伝送のためにスケジューリングされる場合、どのＣＣが、ＵＣＩ伝送のためのより高い優先度を有するかを定義し得る。前述の問題を最小限にするために、例えば、遅延センシティブデータのために使用される、ＣＣは、それらのＣＣ上でのＵＣＩ伝送を防止（または、最小限に）する、優先度が配分されるであろう。基地局が、該当する場合、どのＣＣが、ＳＰＳを伝送し、どのＣＣが、ＳＲＢを伝送するかを認知していると仮定すると、基地局は、優先度リストを生成し、ＳＰＳ  ＣＣを使用するＵＣＩの伝送を最小限にすることができる。キャリア序列情報は、次いで、例えば、より高い層またはＬ１／２信号伝達（例えば、ＭＡＣ  ＣＥ）によって、ＵＥに信号伝達することができる。
【００５９】
表２は、ＵＣＩ伝送のための例示的キャリア序列情報を示す。表２では、各キャリアは、３つの異なる例示的構成の各々に対して異なる序列値が割り当てられる。本実装では、より低い序列値は、そのＣＣが、ＵＣＩを伝送するために選択される可能性がより高いことを意味するが、他の序列順序が、使用され得る。したがって、複数のＣＣが、配分される場合、ＵＥは、最初に、ＵＣＩを伝送するために、より低い序列値を有する、キャリアを選択する。そのキャリアが、利用可能でない場合、ＵＥは、次のより高い（または、同一）優先度を伴う、代替キャリアを選択することができる。
【００６０】
一実施例では、ＵＥは、ＵＣＩ伝送のために、ＣＣ１およびＣＣ３（例えば、図５ａ参照）が配分され、表２の構成１に基づいて、ＵＣＩのためのＣＣを選択する。構成１では、ＣＣ３は、ＣＣ１より低い序列を有する（それぞれ、３と４の値）。故に、ＵＥは、ＵＣＩ伝送のために、ＣＣ３を最初に選択するように構成される。
【００６１】
別の実施例では、ＵＥは、ＵＣＩ伝送のために、ＣＣ１、ＣＣ３、ＣＣ４、およびＣＣ５（例えば、図５ｃ参照）が配分され、表２の構成１に基づいて、ＵＣＩのためのＣＣを選択する。構成１では、ＵＥは、ＣＣ４が、他のスケジューリングされた（および、許可された）ＣＣ（すなわち、ＣＣ１、ＣＣ３、ＣＣ４、およびＣＣ５）の中でＵＣＩ伝送のための最低序列を有するため、ＵＣＩ伝送のために、ＣＣ４を選択するであろう。
【００６２】
【表２】
2013526216.tif 000015
ある場合には、同一序列を異なるＣＣのために定義することができる（例えば、表２の構成２におけるＣＣ１およびＣＣ２ならびに構成２におけるＣＣ４およびＣＣ５参照）。２つのＣＣが、同一序列に割り当てられる場合、ＵＥは、所定のルールまたはアルゴリズムに基づいて、一方のＣＣを使用してＵＣＩを伝送するか、または両キャリア上でＵＣＩを伝送するように構成され得る。所定のルールまたはアルゴリズムは、例えば、ＣＣインデックス値に基づくことができる。同一優先度序列の複数のＣＣが、スケジューリングされる場合、ＵＥは、最低（または、最高）ＣＣインデックスを伴うＣＣを選択し、ＵＣＩを伝送することができる。
【００６３】
代替として、序列値は、いくつかのＣＣのために利用可能でなくてもよく、またはＣＣは、ＵＣＩの伝送のためい許可されなくてもよい（例えば、表２の構成３のＣＣ１およびＣＣ２参照）。ＣＣに、序列値が配分されない場合、その特定のＰＵＳＣＨにおけるＵＣＩ伝送が、禁止されていることを示し得る。その場合、ただ１つのスケジューリングされたキャリアすら、序列が配分されない場合（例えば、表２の構成３におけるキャリアＣＣ１およびＣＣ２）、ＵＥは、ＵＣＩ伝送をドロップするか、またはＰＵＣＣＨリソースのみ使用して、伝送し得る。
【００６４】
本キャリア序列はまた、任意の特別な無線信号伝達を伴わずに、暗黙的方法を介して、定義することができる。例えば、キャリアは、他のパラメータ、例えば、キャリア周波数、システム帯域幅、スケジューリングされたＲＢの数、転送ブロックサイズ、ＭＣＳレベル等による昇順または降順で序列化され得る。ＣＣインデックスに従う、または他のＣＣパラメータにリンクされる、順次序列もまた、ＣＣを序列化するために使用され得る。さらに、序列は、受信したＵＬグラントによって、暗黙的に定義され得る。
【００６５】
本キャリア序列はまた、各キャリア上で利用可能なＵＬ−ＳＣＨデータタイプの各々に対して、異なるキャリア序列を定義するために使用され得る。実施例として、表３は、ＳＲＢ伝送およびＭＡＣ  ＣＥ伝送のための例示的キャリア序列を示す。本実施例では、ＳＲＢまたはＭＡＣ  ＣＥを伝送する時のＣＣのためのＣＣ序列は、ＵＣＩを伝送する時のＣＣ序列とほぼ逆の順序である。
【００６６】
【表３】
2013526216.tif 000016
システム実装に応じて、基地局は、ＵＬ−ＳＣＨデータタイプのうちの１つ以上に対してのみ、序列をＵＥに信号伝達し得る。例えば、基地局は、ＳＲＢおよびＭＡＣ  ＣＥのためのキャリア序列のみ、ＵＥに信号伝達し得る。次いで、ＳＲＢおよびＭＡＣ  ＣＥのための序列に基づいて、ＵＣＩのためのキャリア序列は、次いで、例えば、ＳＲＢ／ＭＡＣ  ＣＥのキャリア序列の逆順に基づいて（例えば、各優先度序列を最大優先度値から減算することによって）、暗黙的に導出される。例えば、第１のＣＣに対するＳＲＢまたはＭＡＣ  ＣＥのための序列が、２であって、最大可能序列値が、５である場合、ＵＣＩのための序列は、５−２、すなわち、３となるであろう。
【００６７】
ある場合には、異なるＣＣの無線条件もまた、ＵＥによって、スケジューリングのために考慮され得る。例えば、ＳＲＢ伝送に対して、ＣＣ３が、特定の時間において、不良無線条件を有する一方、同時に、ＣＣ１が、良好な無線条件を有する場合、ＵＥは、ＳＲＢ伝送のために、ＣＣ１を使用するように構成され得る。したがって、表３は、ＵＥによって、ＳＲＢトラフィックのためのＣＣの相対的に好ましい選択に対してのみ、使用され得る。論理チャネルＩＤは、ＭＡＣ  ＰＤＵ内に含有される、各ＭＡＣ  ＳＤＵに対して含まれ得るので、基地局におけるＭＡＣエンティティは、基地局に対する複雑性を増加させることなく、ＵＥが、ＳＲＢメッセージを配置したいずれのＭＡＣ  ＰＤＵからも、ＳＲＢトラフィックを正確に抽出することが可能であり得る。
【００６８】
ＵＥが、複数のアップリンクキャリア上で同時に伝送するようにスケジューリングされる場合、各スケジューリングされたキャリアのための別個のＭＡＣ  ＰＤＵが、存在し得る。ＵＥは、どのＣＣ上でＳＲＢを伝送すべきかを選択する場合、スケジューリングされたＣＣの無線条件と、ＵＣＩを送信するためのキャリア序列を考慮し得る。概して、ＳＲＢを伝送するために選択されるＣＣは、基地局によって命令される、ＵＣＩキャリア−序列ルールに基づいて、ＵＣＩを伝送するために選択されるＣＣと異なり、スケジューリングされたＣＣの中で最良の無線条件を有するであろう。
【００６９】
ある場合には、ＵＣＩを伝送するＣＣが、チャネル状況に応じて、可変である場合、基地局は、ブラインドデコーティングを行い、どのＵＬ  ＣＣが、ＵＣＩを含むかを把握する必要があり得る。代替として、スケジューリングされたＭＣＳまたは消費される周波数リソースの量が、無線条件を考慮する方法の１つとして使用される場合、基地局およびＵＥは、概して、ＵＣＩのためのＵＬ  ＣＣを正確に認知しており、したがって、ＵＣＩのためのブラインドデコーティングは、必要とされないことがある。
【００７０】
表２および表３に示されるキャリア序列表は、実施例に過ぎない。キャリア序列は、他の要因を使用する、ルールによって更新され得る。例えば、構成されているＣＣの数が変化する場合、キャリア序列は、更新され、ＵＥに信号伝達され得る。本キャリア序列は、キャリアを再構成するＲＲＣメッセージにおいて、またはＭＡＣ制御要素（可能性として、特定のキャリアをアクティブ化またはアクティブ解除するために使用されるものと同一ＭＡＣ制御要素）において、搬送され得る。代替として、ＵＬ  ＣＣが、ＲＲＣ信号伝達等の信号伝達を介して、ＵＥのＵＬ  ＣＣの構成された組に追加される場合、新しく追加されるＣＣのキャリア序列もまた、ＲＲＣ信号伝達において提供され得る。
【００７１】
代替として、ＵＣＩのキャリア序列は、構成される一方、遅延センシティブデータのキャリア序列は、構成されない。この場合、ＵＥは、ＵＣＩを伝送しないＵＬ  ＣＣとして、遅延センシティブデータを伝送するＵＬ  ＣＣを選択することができる。例えば、ＣＣ１、ＣＣ４、およびＣＣ５が、スケジューリングされる場合、ＵＥは、キャリア序列が、表２における構成１と同一に構成されている場合、ＵＣＩ伝送のために、ＣＣ４を選択する。ＵＥは、ＣＣ１およびＣＣ５のうちの１つを選択し、遅延センシティブデータを伝送することができる。ＵＣＩを伝送しない、すべてのスケジューリングされたＵＬ  ＣＣのうち、ＭＡＣ  ＣＥを伝送するために使用されるＵＬ  ＣＣは、キャリアインデックスの順序、ＭＣＳ、または帯域幅等のパラメータを使用して、所定のルールに基づいて、選択することができる。
【００７２】
別の実装では、ＵＣＩのキャリア序列は、構成される一方、遅延センシティブデータのキャリア序列は、構成されない。その場合、スケジューリングされたＵＬ  ＣＣの付与されたリソースは、ＵＣＩ伝送のために選択されたＵＬ  ＣＣのリソースが、最後に置かれるか、または順序において、最初にスケジューリングされたＵＬ  ＣＣではないように置かれるように、順序付けられ得る。ＵＥは、次いで、論理チャネルトラフィックおよびＭＡＣ  ＣＥをスケジューリングされたＵＬ  ＣＣ上にどのようにマップするかを決定する場合、スケジューリングされたＵＬ  ＣＣにわたって、順序付けられたＵＬリソースに、論理チャネルおよびＭＡＣ  ＣＥ優先化を行い得る。例えば、ＣＣ１、ＣＣ４、およびＣＣ５が、スケジューリングされる場合、ＵＥは、キャリア序列が、表２における構成１と同一に構成されている場合、ＵＣＩ伝送のために、ＣＣ４を選択する。ＵＥは、ＣＣ４のＵＬリソースが、最後に置かれるように、これらの３つのスケジューリングされたＣＣの付与されたリソースを順序付ける。例えば、付与されたＵＬリソースは、ＣＣ１のためのリソース、次にＣＣ５のためのリソース、次にＣＣ４のためのリソースのように順序付けられ、ＵＥは、スケジューリングされたＵＬ  ＣＣにわたって、論理チャネルトラフィックおよびＭＡＣ  ＣＥをリソースにマップする場合、この順序後、論理チャネルおよびＭＡＣ  ＣＥ優先化を行い得る。
【００７３】
いくつかの実装では、ＵＥは、陰的アルゴリズムを使用して、ＵＣＩのための最も適切なＣＣ伝送を選択する。アルゴリズムは、ＵＥが認知している以下の情報に基づく。１つ目として、ＵＥは、どのＣＣが、ＳＰＳをサポートするように構成されているかを把握する。ＳＰＳに関連する構成が、信号伝達される場合、１つのＵＬ  ＣＣが、ＳＰＳのために使用されるので、ＵＥは、ＳＰＳのためのＵＬ  ＣＣ情報で信号伝達されるはずである。正確なキャリア情報が、信号伝達され得るか、または、代替として、また、ＵＬ  ＳＰＳ伝送が、ＰＵＣＣＨを伝送するＵＬ  ＣＣと同一ＵＬ  ＣＣ上で生じることも可能である。
【００７４】
２つ目として、ＵＥは、ＳＲＢ伝送のためのキャリア順序または序列を把握している。ＵＥに、ＳＲＢデータを伝送するために配分されたキャリアを示すためのいくつかの可能なアプローチが、存在する。アプローチの１つは、キャリア順序を明示的に信号伝達するものである（例えば、前述の表３等のキャリア序列表を使用して）。他のアプローチは、所定のアルゴリズムに基づいて、論理チャネル優先度順序を暗黙的に決定するものである。本アプローチでは、各キャリアは、論理チャネルのための異なる優先度を有し得る。ＳＲＢ伝送のためのキャリア順序は、ＳＲＢ論理チャネルに対応する論理チャネル優先度を参照して、決定することができる。
【００７５】
３つ目として、ＵＥは、ＭＡＣ  ＣＥ伝送のためのキャリア順序を把握している。ＳＲＢ伝送の場合と同様に、ＵＥは、基地局からの明示的信号伝達によって、ＭＡＣ  ＣＥ伝送のためのキャリア順序を把握し得る。代替として、キャリア順序は、所定のアルゴリズムに基づいて、決定され得る。
【００７６】
４つ目として、ＵＥは、他の低遅延データ伝送（例えば、ＱＣＩインデックスを介して、リンクされる）のために使用されるキャリアを把握している。ＵＥは、論理チャネルのＱＣＩインデックスを認知し得、故に、どのＣＣが、ＵＣＩの伝送のために好ましいかを決定することができる。ＱＣＩは、より高い層信号伝達によって、信号伝達され得る。
【００７７】
本情報を前提として、図６は、ＵＥが、ＵＣＩ伝送のための１つ以上のＵＬ  ＣＣを選択する方法におけるステップを例証する。ステップ２００では、ＵＥは、複数のＵＬ  ＣＣが、スケジューリングされているかどうかを確認する。単一ＰＵＳＣＨ  ＣＣのみ、スケジューリングされている場合、ＵＥは、ステップ２０１において、そのＵＬ  ＣＣを選択し、ステップ２０２において、選択する他のＰＵＳＣＨ  ＣＣが存在しないため、そのＵＬ  ＣＣを使用して、ＵＣＩを伝送する。単一ＰＵＳＣＨ  ＣＣのみが、スケジューリングされ、本ＣＣが、ＳＰＳまたは他の高ＱｏＳ  ＲＢを伝送するために使用される場合、ＵＥは、パンクチャリング比率が、所定の閾値を超える場合、ＵＣＩ伝送をドロップするように構成され得る。
【００７８】
ステップ２００後、ＵＥが、複数のＵＬ  ＣＣがスケジューリングされていることを決定する場合、ＵＥは、ステップ２０４において、ＵＬ  ＣＣのいずれかが、利用可能なＵＬ  ＣＣであるかどうかを確認する。利用可能なＵＬ  ＣＣは、動的グラントによって、配分され、例えば、ＳＲＢまたはＭＡＣ  ＣＥを伝送しない、ＵＬ  ＣＣのみを含むように定義され得る。
【００７９】
利用可能なＵＬ  ＣＣが存在しない場合、ＵＥは、ステップ２０６において、所定の選択ルールを使用して、スケジューリングされたＵＬ  ＣＣの中からＵＬ  ＣＣのうちの１つを選択する。例えば、ＵＥは、最低インデックスを有する、ＣＣを選択し得る。代替として、ＳＰＳ、ＳＲＢ、およびＭＡＣ  ＣＥのための優先度は、前述のように定義することができ（例えば、表３参照）、最低優先度を有するＣＣを選択することができる。一般に、例えば、ＳＰＳリソースまたは他のリアルタイムサービスにおいて伝送されるＶｏＩＰおよびＳＲＢは、ＭＡＣ  ＣＥより高い優先度を有し、遅延を最小限にする。ＣＣを選択後、ＵＣＩは、ステップ２０２において、ＵＬ  ＣＣに含まれる。
【００８０】
最後に、利用可能なＵＬ  ＣＣが存在する場合、ＵＥは、ステップ２０８において、利用可能なＵＬ  ＣＣのセットから１つのＣＣを選択し、ステップ２０２において、選択されたＣＣにＵＣＩを含める。
【００８１】
ある場合には、１つのＣＣまたは１組のＣＣのみ、ＵＣＩ伝送のために構成される。基地局は、ＵＥへのＲＲＣ信号伝達またはＬ１／Ｌ２信号伝達によるＵＣＩ伝送のために使用されるべきキャリア（ＵＣＩ  ＣＣによって示される）を信号伝達し得る。信号伝達は、明示的または暗黙的であり得る。暗黙的信号伝達の単純形態では、最低インデックスＣＣは、常に、ＵＣＩ伝送のために選択される。本キャリアが、ＰＵＣＣＨ伝送のためのキャリアと同一である場合、別個の信号伝達を提供する必要がないことがある。ＰＵＳＣＨリソースが、ＵＣＩ  ＣＣ上に配分されない場合、本システムでは、ＵＥは、依然として、ＵＣＩを伝送可能であり得る。
【００８２】
例えば、ＵＥは、ＰＵＣＣＨ上でＵＣＩを伝送するように構成され得る。ＰＵＳＣＨが、他のキャリア上に配分され得る場合でも、ＰＵＳＣＨが、ＵＣＩ  ＣＣ上に配分されない場合、ＵＥは、ＰＵＣＣＨを使用して、ＵＣＩを伝送し得る。いくつかのネットワークでは、これは、キャリアのうちのいくつかが、相互変調問題またはＰＵＣＣＨとＰＵＳＣＨとの間の大規模電力差のため、ＰＵＳＣＨおよびＰＵＣＣＨを同時に伝送することを許容されていない場合、有益であり得る。例えば、３つのＵＬ  ＣＣ（ＣＣ１、ＣＣ２、およびＣＣ３）を伴うネットワーク実装では、ＣＣ１およびＣＣ２は、ＵＣＩキャリアであり得、ＣＣ１は、ＰＵＣＣＨキャリアである。ＣＣ１が、ＰＵＳＣＨのためにスケジューリングされる場合、ＵＣＩは、ＣＣ１において（例えば、ＵＬ−ＳＣＨデータによって多重化されたＰＵＳＣＨリソース内）伝送され得る。しかしながら、ＣＣ３のみ、例えば、ＰＵＳＣＨのためにスケジューリングされる場合、ＣＣ３におけるＰＵＳＣＨおよびＣＣ１におけるＰＵＣＣＨ（ＵＣＩを搬送するＰＵＣＣＨ伝送を伴う）は、同時に、伝送され得る。
【００８３】
代替として、ＵＥは、スケジューリングされたＰＵＳＣＨによって、別のＣＣ上でＵＣＩを伝送し得る。その場合、ＵＥは、ＵＣＩの伝送のために非ＵＣＩ  ＣＣの中から１つのＰＵＳＣＨスケジューリングされたＣＣを選択する。代替として、ＵＥは、すべての非ＵＣＩ  ＣＣにわたって、伝送し得る。パンクチャリング比率が、所定の閾値を下回る場合、ＵＥは、スケジューリングされた非ＵＣＩ  ＣＣ上でＵＣＩを伝送し得る。そうでなければ、ＵＥは、ＵＣＩ  ＣＣ上のＰＵＣＣＨを使用して、ＵＣＩを伝送し得る。
【００８４】
代替として、ＵＥの利用可能なＣＣは、２つのカテゴリに分離され得る。ＣＣの第１のカテゴリは、例えば、ＳＰＳのような遅延センシティブ伝送等の特殊伝送のために使用され得る一方、ＣＣの他方のカテゴリは、一般的伝送目的のために使用され得る。これは、最初に、基地局によって構成され、随時、再構成され得る。
【００８５】
カテゴリは、基地局によって、更新され、ＵＥに信号伝達され得る。一般的伝送カテゴリにおいて、少なくとも１つの構成されたＣＣが存在する場合、ＵＥは、遅延センシティブ伝送のために意図されるＣＣ（例えば、第１のカテゴリ内のそれらのＣＣ）上でのＵＣＩの伝送を回避し得る。ＣＣが、一般的伝送カテゴリに構成されない場合、ＵＥは、ＣＣが、ＳＰＳまたは他の遅延センシティブ伝送を伝送していない時、通常、特殊伝送のために使用される、ＣＣ上でＵＣＩを伝送し得る。
【００８６】
本実装では、基地局は、一般的伝送カテゴリに少なくとも１つのＣＣを構成する必要があり得る。２つ以上のＣＣが、一般的伝送カテゴリに構成されている場合、ＵＥは、一般的伝送ＣＣ上でＵＣＩを同時に伝送するか、または、いくつかの所定のルールに応じて、例えば、最低キャリアインデックスを伴うＣＣ上で伝送することによって、ＣＣのうちの１つ上でＵＣＩのみを伝送し得る。
【００８７】
別の実装では、ＵＣＩ  ＣＣが、選択された後、ＵＥは、ＵＣＩを伝送しないＣＣ上で遅延センシティブデータを伝送し、ＵＣＩ伝送からのパンクチャリング損失を回避することができる。例えば、ＣＣ１、ＣＣ４、およびＣＣ５が、スケジューリングされている場合、ＵＥは、ＵＣＩ  ＣＣとして、ＣＣ４を選択する。ＵＥは、次いで、ＣＣ１およびＣＣ５のうちの１つを選択し、遅延センシティブデータを伝送することができる。ＵＣＩを伝送しないすべてのスケジューリングされたＣＣのうち、遅延センシティブデータを伝送するために選択されるＣＣは、キャリアインデックス、ＭＣＳ、または帯域幅のようなパラメータを使用して、所定のルールに基づくことができる。
【００８８】
さらに別の実装では、ＵＣＩ  ＣＣが、選択された後、スケジューリングされたＵＬ  ＣＣの付与されたリソースは、ＵＣＩ伝送のために選択されたＵＬ  ＣＣのリソースが、最後に置かれるように、または順序において、最初のスケジューリングされたＵＬ  ＣＣではないように置かれるように、順序付けられる。ＵＥは、次いで、スケジューリングされたＵＬ  ＣＣ上に論理チャネルトラフィックおよびＭＡＣ  ＣＥをどのようにマップするかを決定する場合、スケジューリングされたＵＬ  ＣＣにわたって、順序付けられたＵＬリソースに、論理チャネルおよびＭＡＣ  ＣＥ優先化を行い得る。例えば、ＣＣ１、ＣＣ４、およびＣＣ５が、スケジューリングされる場合、ＵＥは、ＵＣＩ伝送のために、ＣＣ４を選択し得る。ＵＥは、ＣＣ４のＵＬリソースが、最後に置かれるように、これらの３つのスケジューリングされたＣＣの付与されたリソースを順序付けることができる。例えば、付与されたＵＬリソースは、ＣＣ１のためのリソース、次にＣＣ５のためのリソース、次にＣＣ４のためのリソースのように順序付けられ、ＵＥは、スケジューリングされたＵＬ  ＣＣにわたって、論理チャネルトラフィックおよびＭＡＣ  ＣＥをリソースにマップする場合、この順序に従って、論理チャネルおよびＭＡＣ  ＣＥ優先化を行い得る。
【００８９】
代替として、ＵＥによって伝送されるＵＣＩにおける増加に対応するために、サブフレームのための符号化シンボルの適切な数を識別するために使用される式が、修正されることができる。既存のネットワークでは、ＨＡＲＱ−ＡＣＫ（Ｑ’ＡＣＫによって示される）、ＲＩ（Ｑ’ＲＩによって示される）、およびＣＱＩ／ＰＭＩ（Ｑ’ＣＱＩ／ＲＩによって示される）のための符号化シンボルの数は、前述の式（１）を使用して、計算することができる（例えば、ＴＳ３６．２１２の第５．２．４．１節「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｉｄｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｍｕｌｔｉｐｌｅｘｉｎｇ  ａｎｄ  ｃｈａｎｎｅｌ  ｃｏｄｉｎｇ（Ｒｅｌｅａｓｅ８）」参照）。しかしながら、本実装では、キャリアアグリゲーションのために伝送されるＵＣＩデータにおける増加に対応するために、式は、補償するように調節される。
【００９０】
いくつかのネットワークでは、ＨＡＲＱ−ＡＣＫまたはＲＩのための符号化シンボルの最大数は、実質的パンクチャリングを回避し、ＲＩのためのＳＣ−ＦＤＭＡシンボルを確定するために、最大
【００９１】
【数１１】
2013526216.tif 000017
に限定される。ＲＩ符号化シンボルは、ＨＡＲＱ−ＡＣＫ符号化シンボルを含むＳＣ−ＦＤＭＡシンボルに隣接する、ＳＣ−ＦＤＭＡシンボル上に位置するように確定される。
【数１２】
2013526216.tif 000018
は、１つのＳＣ−ＦＤＭＡシンボル内でスケジューリングされた周波数リソースの数の４倍であって、これは、通常、最大４つのＨＡＲＱ−ＡＣＫ（Ｒｅｌｅａｓｅ８における最大数のＨＡＲＱ−ＡＣＫ）をサポートするために十分である。しかしながら、表１に示されるように、最大１２のＨＡＲＱ−ＡＣＫビットが、伝送されるべき場合（キャリアアグリゲーションにおける場合のように）、要求されるＳＣ−ＦＤＭＡシンボルの数は、スケジューリングされた周波数リソースが小さい場合、４つのＳＣ−ＦＤＭＡシンボルを超え得る。したがって、式（１）の上限は、より大きな数の符号化シンボルを提供するように修正され得る。修正された式の実施例は、以下の式（３）に見出される。式（３）に示されるように、符号化シンボルの最大数は、
【００９２】
【数１３】
2013526216.tif 000019
から
【００９３】
【数１４】
2013526216.tif 000020
に増加される。しかしながら、式（３）に示される「８」の乗数は、システム実装に応じて、他の乗数と置換され得ることに留意されたい。
【００９４】
【数１５】
2013526216.tif 000021
式（３）に従って、符号化シンボルの数を増加させた後、追加シンボルの各々をＲＢサブフレーム内に位置付ける必要がある。図７は、増加された数のＨＡＲＱ−ＡＣＫシンボルのための候補場所を示す、例示的サブフレームの例証である。図７を参照すると、新しい符号化シンボル（４つのＨＡＲＱ  ＡＣＫ／ＮＡＣＫを超えるそれらのシンボル）は、ＲＩの符号化シンボル後のＳＣ−ＦＤＭＡシンボルに接して位置することができる（図７の要素３００によって囲まれるＲＥ参照）。代替として、ＨＡＲＱ−ＡＣＫは、最初に、ＳＣ−ＦＤＭＡシンボルにわたって、継続的に伝送され、ＲＩの伝送が続いてもよい。概して、ＨＡＲＱ−ＡＣＫは、ＲＩより重要であって、ＲＳに隣接して位置すべきである。
【００９５】
代替として、複数のＵＬ  ＣＣが、スケジューリングされる場合、残りの符号化シンボルは、次のＵＬ  ＣＣにおいて伝送することができる。しかしながら、他のＵＬ  ＣＣは、異なるＭＣＳおよび周波数リソースによって、スケジューリングされ得る。ＰＵＳＣＨにおけるＵＣＩのための符号化シンボルの数は、ＰＵＳＣＨ  ＭＣＳによって決定されるので、残りの符号化シンボルを別のＵＬ  ＣＣに単に挿入することは、困難であり得る。ＡＣＫ／ＮＡＣＫまたはＲＩのための符号化シンボルの数が、
【００９６】
【数１６】
2013526216.tif 000022
より大きい場合、ＡＣＫ／ＮＡＣＫまたはＲＩ情報は、複数のＵＬ  ＣＣに分散され得る。
【００９７】
別の実装では、ＵＥは、あまりに多くのＰＵＳＣＨリソースが、ＵＣＩ伝送のために要求される場合、ＵＬ−ＳＣＨデータをドロップするように構成される。これは、例えば、ＵＥが、前述のように、増加された数のＤＬ  ＣＣのために、ＵＣＩを伝送する場合、生じ得る。あまりに多くのＰＵＳＣＨリソースが要求されているかどうかを決定するために、ＵＣＩのための要求される符号化シンボルの数とＰＵＳＣＨリソースとを比較することができる。実施例として、パンクチャリング比率は、以下の式（４）を使用して、計算することができる。
【００９８】
【数１７】
2013526216.tif 000023
本実装では、ＵＥは、
【００９９】
【数１８】
2013526216.tif 000024
を所定のパンクチャリングレベル閾値と比較するように構成される。閾値は、例えば、ＲＲＣ信号伝達によって、信号伝達されるか、または仕様に定義することができる。
【０１００】
【数１９】
2013526216.tif 000025
が、閾値より大きい場合、ＵＥは、いくつかのＵＬ−ＳＣＨデータを伝送せず、ＰＵＳＣＨにおいて、ＵＣＩのみ伝送する。そうでなければ、ＵＣＩおよびＵＬ−ＳＣＨデータは、多重化され、ＰＵＳＣＨリソースを使用して、伝送され得る。
【０１０１】
ＰＵＳＣＨ伝送のためのＨＡＲＱは、同期しているので、冗長バージョン（ＲＶ）シーケンスは、基地局からのグラントがない限り、確定される。したがって、データが、ＵＣＩ伝送のためパンクチャリングされた後、パンクチャリングデータは、基地局が、グラントによって、伝送されるＲＶを変化させない限り、３つの再伝送後、再伝送される機会を有するであろう。大量の系統的ビットを有する、ＲＶ０が、ＵＣＩのため著しくパンクチャリングされる場合、このデータは、ＲＶ０が再び再伝送された後の４つの再伝送の後に正常にデコードされるであろう可能性が高い。その意味において、パンクチャリングが、深刻である場合、ＰＵＳＣＨデータを保留し、次のＨＡＲＱタイミングにおいて再開することが有用である場合がある。
【０１０２】
代替として、
【０１０３】
【数２０】
2013526216.tif 000026
が、閾値より小さい場合、ＵＣＩは、１つのスケジューリングされたＵＬ  ＣＣとともに伝送される。そうでなければ、ＵＣＩは、分割され、複数のＵＬ  ＣＣ上で伝送される。
【０１０４】
代替として、明示的信号伝達を使用して、ＵＬ−ＳＣＨデータが、ＵＣＩ伝送とともに含まれるかどうかを示し得る。本明示的信号伝達はまた、Ｒｅｌｅａｓｅ８において既にサポートされている、ＣＱＩ要求に加え、動的アップリンクグラントのためのＤＣＩ形式に含まれ得る。明示的信号伝達はまた、ＳＰＳグラントに含まれ得る。表４は、伝送が、ＵＬ−ＳＣＨデータを含むかどうかを示す、ＵＣＩ伝送に伴うＵＬ−ＳＣＨデータのための例示的情報ビットの例証を提供する。
【０１０５】
【表４】
2013526216.tif 000027
追加の信号伝達ビットの導入を回避するために、ＵＬ  ＣＣのうちのいくつかが、非周期的ＣＱＩ伝送のために使用されない場合、ＣＱＩ要求ビットを再使用することが可能であり得る。代替として、基地局は、ＵＣＩが、スケジューリングされたＰＵＳＣＨに含まれ得るかどうかを動的に示し得る。基地局が、対応するＵＬ  ＣＣにＵＣＩを含まないことを信号伝達する場合、ＵＣＩは、ドロップされる、ＰＵＣＣＨにおいて伝送されるか、または他のスケジューリングされたＵＬ  ＣＣにおいて伝送され得る。本信号伝達は、ＳＰＳグラントならびに動的アップリンクグラントに含まれ得る。
【０１０６】
本システムは、ＵＣＩおよびＵＬ−ＳＣＨデータが、同一サブフレームにおいて、同時に伝送される場合、高ＱｏＳデータに及ぼすＵＣＩ伝送の影響を最小限にするために使用することができる。システムは、ＵＥに、ＵＣＩ  ＣＣまたはＵＣＩキャリアセットの序列の明示的または暗示的信号伝達を使用して、ＵＣＩ伝送のために、より低いＱｏＳデータを伝送する、ＵＬ  ＣＣを選択させる。その結果、ＵＣＩ  ＣＣの決定は、高ＱｏＳデータ伝送のために使用されるリソースをパンクチャリングする機会を最小限にし、ＵＣＩが、ＰＵＳＣＨリソースにおいて伝送される場合でも、少なくとも高ＱｏＳデータの性能を維持するであろう。加えて、本システムは、デバイスに、パンクチャリング損失が、深刻である、または高ＱｏＳデータが、ＰＵＳＣＨにおいて伝送される場合、ＵＣＩまたはＵＬ−ＳＣＨデータを伝送させない。
【０１０７】
図８は、ＵＥ１０の実施形態を含む、無線通信システムを例証する。ＵＥ１０は、本開示の側面を実装するために動作可能であるが、本開示は、これらの実装に限定されるべきではない。携帯電話として図示されているが、ＵＥ１０は、無線ハンドセット、ポケットベル、携帯情報端末（ＰＤＡ）、ポータブルコンピュータ、タブレットコンピュータ、ラップトップコンピュータを含む、種々の形態をとってもよい。多くの好適なデバイスは、これらの機能のうちのいくつかはまた全てを組み合わせる。本開示のいくつかの実施形態では、ＵＥ１０は、ポータブル、ラップトップ、またはタブレットコンピュータのような汎用コンピュータデバイスではなく、むしろ、携帯電話、無線ハンドセット、ポケットベル、ＰＤＡ、または車載電気通信デバイス等の特殊用途通信デバイスである。また、ＵＥ１０は、デスクトップコンピュータ、セットトップボックス、またはネットワークノード等、類似能力を有するが、可搬性ではないデバイスである、デバイスを含むか、あるいはデバイス内に含められ得る。ＵＥ１０は、ゲーム、在庫管理、ジョブ制御、および／またはタスク管理機能等、特殊アクティビティをサポートし得る。
【０１０８】
ＵＥ１０は、ディスプレイ７０２を含む。また、ＵＥ１０は、ユーザによる入力のために、概して、７０４と称される、タッチセンサ式表面、キーボード、または他の入力キーも含む。キーボードは、ＱＷＥＲＴＹ、Ｄｖｏｒａｋ、ＡＺＥＲＴＹ、および逐次タイプ等、完全または縮小英数字キーボード、または電話キーパッドと関連するアルファベット文字を伴う従来の数字キーパッドであり得る。入力キーは、さらなる入力機能を提供するように内向きに押下され得る、トラックホイール、終了またはエスケープキー、トラックボール、および他のナビゲーションまたは機能キーを含み得る。ＵＥ１０は、ユーザが選択するためのオプション、ユーザが作動させるための制御、および／またはユーザが指図するためのカーソルあるいは他のインジケータを提示し得る。
【０１０９】
さらに、ＵＥ１０は、ダイヤルする番号、またはＵＥ１０の動作を構成するための種々のパラメータ値を含む、ユーザからのデータ入力を受け取り得る。さらに、ＵＥ１０は、ユーザコマンドに応じて、１つ以上のソフトウェアまたはファームウェアアプリケーションを実行し得る。これらのアプリケーションは、ユーザ対話に応じて、種々のカスタマイズされた機能を果たすようにＵＥ１０を構成し得る。加えて、ＵＥ１０は、例えば、無線基地局、無線アクセスポイント、またはピアＵＥ１０から、無線でプログラムおよび／または構成され得る。
【０１１０】
ＵＥ１０によって実行可能な種々のアプリケーションの中には、ディスプレイ７０２がウェブページを表示することを可能にするウェブブラウザがある。ウェブページは、無線ネットワークアクセスノード、携帯電話の基地局、ピアＵＥ１０、または任意の他の無線通信ネットワークあるいはシステム７００との無線通信を介して、取得され得る。ネットワーク７００は、インターネット等の有線ネットワーク７０８に連結される。無線リンクおよび有線ネットワークを介して、ＵＥ１０は、サーバ７１０等の種々のサーバ上の情報へのアクセスを有する。サーバ７１０は、ディスプレイ７０２上に表示され得る、コンテンツを提供し得る。代替として、ＵＥ１０は、中継式またはホップ式の接続において、媒介として作用するピアＵＥ１０を通して、ネットワーク７００にアクセスし得る。
【０１１１】
図９は、ＵＥ１０のブロック図を示す。ＵＥ１１０の周知の種々のコンポーネントが描写されるが、ある実施形態では、列挙されたコンポーネントのサブセットおよび／または列挙されていない付加的コンポーネントが、ＵＥ１０に含まれ得る。ＵＥ１０は、デジタル信号プロセッサ（ＤＳＰ）８０２と、メモリ８０４とを含む。示されるように、ＵＥ１０はさらに、アンテナおよびフロントエンドユニット８０６と、無線周波数（ＲＦ）送受信機８０８と、アナログベースバンド処理ユニット８１０と、マイクロホン８１２と、イヤホンスピーカ８１４と、ヘッドセットポート８１６と、入力／出力インターフェース８１８と、可撤性メモリカード８２０と、ユニバーサルシリアルバス（ＵＳＢ）ポート８２２と、短距離無線通信サブシステム８２４と、アラート８２６と、キーパッド８２８と、タッチセンサ式表面を含み得る液晶ディスプレイ（ＬＣＤ）８３０と、ＬＣＤコントローラ８３２と、電荷結合素子（ＣＣＤ）カメラ８３４と、カメラコントローラ８３６と、グローバルポジショニングシステム（ＧＰＳ）センサ８３８とを含み得る。ある実施形態では、ＵＥ１０は、タッチセンサ式画面を提供しない、別の種類のディスプレイを含み得る。ある実施形態では、ＤＳＰ８０２は、入力／出力インターフェース８１８を通過せずに、メモリ８０４と直接通信し得る。
【０１１２】
ＤＳＰ８０２または何らかの他の形態のコントローラあるいは中央処理ユニットは、メモリ８０４に記憶された、またはＤＳＰ８０２自体内に含有されるメモリに記憶された、組み込みソフトウェアまたはファームウェアに従って、ＵＥ１１０の種々のコンポーネントを制御するように動作する。組み込みソフトウェアまたはファームウェアに加えて、ＤＳＰ８０２は、メモリ８０４に記憶された、または、可撤性メモリカード８２０のような携帯用データ記憶媒体等の情報キャリア媒体を介して、あるいは有線または無線ネットワーク通信を介して利用可能となる、他のアプリケーションを実行し得る。アプリケーションソフトウェアは、所望の機能性を提供するようにＤＳＰ８０２を構成する、コンパイルされた一式の機械可読命令を備え得るか、または、アプリケーションソフトウェアは、ＤＳＰ８０２を間接的に構成するようにインタープリタまたはコンパイラによって処理される、高次ソフトウェア命令であり得る。
【０１１３】
アンテナおよびフロントエンドユニット８０６は、無線信号と電気信号との間で変換するように提供され得、ＵＥ１０が、セルラーネットワークまたは何らかの他の利用可能な無線通信ネットワークから、あるいはピアＵＥ１０から、情報を送受信することを可能にする。ある実施形態では、アンテナおよびフロントエンドユニット８０６は、複数のアンテナを含み、ビーム形成および／または多重入出力（ＭＩＭＯ）動作をサポートし得る。当業者に周知であるように、ＭＩＭＯ動作は、困難なチャネル条件を克服し、および／またはチャネルスループットを増加させるために使用することができる、空間的多様性を提供し得る。アンテナおよびフロントエンドユニット８０６は、アンテナ同調および／またはインピーダンス整合コンポーネント、ＲＦ電力増幅器、および／または低雑音増幅器を含み得る。
【０１１４】
ＲＦ送受信機８０８は、周波数偏移を提供し、受信したＲＦ信号をベースバンドに変換し、ベースバンド送信信号をＲＦに変換する。いくつかの説明では、無線送受信機またはＲＦ送受信機は、変調／復調、シンボル化／復号、インターリービング／デインターリービング、拡散／逆拡散、逆高速フーリエ変換（ＩＦＦＴ）／高速フーリエ変換（ＦＦＴ）、周期的接頭辞添付／除去、および他の信号処理機能等、他の信号処理機能性を含むと理解され得る。簡単にする目的で、ここでの説明は、ＲＦおよび／または無線段階から、この信号処理の説明を分離し、その信号処理を、アナログベースバンド処理ユニット８１０および／またはＤＳＰ８０２あるいは他の中央処理ユニットに概念的に割り当てる。いくつかの実施形態では、ＲＦ送受信機８０８、アンテナおよびフロントエンド８０６の複数部分、およびアナログベースバンド処理ユニット８１０が、１つ以上の処理ユニットおよび／または特定用途向け集積回路（ＡＳＩＣ）に組み入れられ得る。
【０１１５】
アナログベースバンド処理ユニット８１０は、入力および出力の種々のアナログ処理、例えば、マイクロホン８１２およびヘッドセット８１６からの入力と、イヤホン８１４およびヘッドセット８１６への出力のアナログ処理を提供し得る。本目的のために、アナログベースバンド処理ユニット８１０は、ＵＥ１０を携帯電話として使用可能にする、内蔵マイクロホン８１２およびイヤホンスピーカ８１４への接続のためのポートを有し得る。さらに、アナログベースバンド処理ユニット８１０は、ヘッドセットまたは他のハンズフリーマイクロホンおよびスピーカ構成に接続するためのポートを含み得る。アナログベースバンド処理ユニット８１０は、１つの信号方向にデジタル・アナログ変換を、反対の信号方向にアナログ・デジタル変換を提供し得る。いくつかの実施形態では、アナログベースバンド処理ユニット８１０の機能性の少なくとも一部が、デジタル処理コンポーネントによって、例えば、ＤＳＰ８０２によって、または他の中央処理ユニットによって提供され得る。
【０１１６】
ＤＳＰ８０２は、変調／復調、シンボル化／復号、インターリービング／デインターリービング、拡散／逆拡散、逆高速フーリエ変換（ＩＦＦＴ）／高速フーリエ変換（ＦＦＴ）、周期的接頭辞添付／除去、および無線通信と関連する他の信号処理機能を行い得る。ある実施形態では、例えば、シンボル分割多重アクセス（ＣＤＭＡ）技術用途において、送信器機能のために、ＤＳＰ８０２は、変調、シンボル化、インターリービング、および拡散を行い得、受信機機能のために、ＤＳＰ８０２は、逆拡散、デインターリービング、復号、および復調を行い得る。別の実施形態では、例えば、直交周波数分割多重アクセス（ＯＦＤＭＡ）技術用途において、送信器機能のために、ＤＳＰ８０２は、変調、シンボル化、インターリービング、逆高速フーリエ変換、および周期的接頭辞添付を行い得、受信機機能のために、ＤＳＰ８０２は、周期的接頭辞除去、高速フーリエ変換、デインターリービング、復号、および復調を行い得る。他の無線技術用途では、さらに他の信号処理機能、および信号処理機能の組み合わせが、ＤＳＰ８０２によって行われ得る。
【０１１７】
ＤＳＰ８０２は、アナログ処理ユニット８１０を介して、無線ネットワークと通信し得る。いくつかの実施形態では、通信は、インターネット接続を提供し、ユーザがインターネット上のコンテンツへのアクセスを獲得すること、および電子メールおよびテキストメッセージを送受信することを可能にし得る。入力／出力インターフェース８１８は、ＤＳＰ８０２ならびに種々のメモリおよびインターフェースを相互接続する。メモリ８０４および可撤性メモリカード８２０は、ＤＳＰ８０２の動作を構成するためのソフトウェアならびにデータを提供し得る。とりわけ、インターフェースは、ＵＳＢインターフェース８２２および短距離無線通信サブシステム８２４であり得る。ＵＳＢインターフェース８２２を使用して、ＵＥ１０を充電し得、また、ＵＥ１０を周辺デバイスとして機能させ、パーソナルコンピュータまたは他のコンピュータシステムと情報を交換可能にし得る。短距離無線通信サブシステム８２４は、赤外線ポート、Ｂｌｕｅｔｏｏｔｈ（登録商標）インターフェース、ＩＥＥＥ８０２．１１準拠無線インターフェース、またはＵＥ１０が他の近くのモバイルデバイスおよび／または無線基地局と無線通信することを可能にし得る、任意の他の短距離無線通信サブシステムを含み得る。
【０１１８】
さらに、入力／出力インターフェース８１８は、トリガされると、例えば、ベルを鳴らす、メロディを再生する、または振動することによって、ＵＥ１０にユーザへ通知を提供させる、アラート８２６にＤＳＰ８０２を接続し得る。アラート８２６は、無音で振動することによって、または特定の発呼者に対して特定の事前に割り当てられたメロディを再生することによって、着信電話、新しいテキストメッセージ、および予約のリマインダ等の種々の事象のうちのいずれかをユーザに警告するための機構としての機能を果たし得る。
【０１１９】
キーパッド８２８は、インターフェース８１８を介して、ＤＳＰ８０２に連結し、ユーザが、選択を行う、情報を入力する、および別様にＵＥ１０に入力を提供するための１つの機能を提供する。キーボード８２８は、ＱＷＥＲＴＹ、Ｄｖｏｒａｋ、ＡＺＥＲＴＹ、および逐次タイプ等、完全または縮小英数字キーボード、または電話キーパッドと関連するアルファベット文字を伴う従来の数字キーパッドであり得る。入力キーは、さらなる入力機能を提供するように内向きに押下され得る、トラックホイール、終了またはエスケープキー、トラックボール、および他のナビゲーションまたは機能キーを含み得る。別の入力機構は、タッチスクリーン能力を含み、また、ユーザにテキストおよび／またはグラフィックを表示し得る、ＬＣＤ８３０であり得る。ＬＣＤコントローラ８３２は、ＤＳＰ８０２をＬＣＤ８３０に連結する。
【０１２０】
ＣＣＤカメラ８３４は、装備された場合、ＵＥ１０がデジタル写真を撮ることを可能にする。ＤＳＰ８０２は、カメラコントローラ８３６を介して、ＣＣＤカメラ８３４と通信する。別の実施形態では、電荷結合素子カメラ以外の技術に従って動作するカメラが採用され得る。ＧＰＳセンサ８３８は、グローバルポジショニングシステム信号をデコードするようにＤＳＰ８０２に連結され、それによって、ＵＥ１０がその位置を決定することを可能にする。また、種々の他の周辺機器が、付加的な機能、例えば、ラジオおよびテレビ受信を提供するように含まれ得る。
【０１２１】
図１０は、ＤＳＰ８０２によって実装され得る、ソフトウェア環境９０２を例証する。ＤＳＰ８０２は、ソフトウェアの残りが動作する、プラットフォームを提供する、オペレーティングシステムドライバ９０４を実行する。オペレーティングシステムドライバ９０４は、ＵＥハードウェアのためのドライバに、アプリケーションソフトウェアにアクセス可能な標準インターフェースを提供する。オペレーティングシステムドライバ９０４は、ＵＥ１０上で起動するアプリケーション間の制御を転送する、アプリケーション管理サービス（「ＡＭＳ」）９０６を含む。また、図１０に示されるのは、ウェブブラウザアプリケーション９０８、メディアプレーヤアプリケーション９１０、およびＪａｖａ（登録商標）アプレット９１２である。ウェブブラウザアプリケーション９０８は、ＵＥ１０をウェブブラウザとして動作するように構成し、ユーザが、ウェブページを検索し、表示するため情報をフォームに入力し、リンクを選択することを可能にする。メディアプレーヤアプリケーション９１０は、音声または視聴覚媒体を検索し、再生するようにＵＥ１０を構成する。Ｊａｖａ（登録商標）アプレット９１２は、ゲーム、ユーティリティ、および他の機能性を提供するようにＵＥ１０を構成する。コンポーネント９１４は、本明細書に記載の機能性を提供する場合がある。
【０１２２】
ＵＥ１０、基地局１２０、および他のコンポーネントは、前述のアクションに関連する命令を実行可能な処理コンポーネントを含む場合がある。図１１は、本明細書に開示される１つ以上の実施形態を実装するために好適な処理コンポーネント１０１０を含む、システム１０００の実施例を例証する。プロセッサ１０１０（中央処理ユニット（ＣＰＵまたはＤＳＰ）と称される）に加え、システム１０００は、ネットワーク接続デバイス１０２０、ランダクアクセスメモリ（ＲＡＭ）１０３０、読み取り専用メモリ（ＲＯＭ）１０４０、または二次記憶装置１０５０、および入力／出力（Ｉ／Ｏ）デバイス１０６０を含み得る。ある場合には、これらのコンポーネントのうちのいくつかは、存在しなくてもよく、あるいは相互の組み合わせ、または図示されない他のコンポーネントとの種々の組み合わせとして、組み合わされ得る。これらのコンポーネントは、単一の物理エンティティ内、または２つ以上の物理エンティティ内に位置する場合がある。プロセッサ１０１０によって行われている本明細書に記載されるいずれのアクションも、プロセッサ１０１０のみ、あるいは図中に示される、または示されない１つ以上のコンポーネントと協働するプロセッサ１０１０によって行われる場合がある。
【０１２３】
プロセッサ１０１０は、それがネットワーク接続デバイス１０２０、ＲＡＭ１０３０、ＲＯＭ１０４０、または二次記憶装置１０５０（ハードディスク、フロッピー（登録商標）ディスク、または光ディスク等、種々のディスクベースのシステムを含む場合がある）からアクセスする場合がある、命令、コード、コンピュータプログラム、またはスクリプトを実行する。１つのプロセッサ１０１０のみが示されているが、複数のプロセッサが存在し得る。したがって、命令が、プロセッサによって実行されているように述べられ得るが、命令は、同時に、順次、あるいは別様に１つまたは複数のプロセッサによって実行され得る。プロセッサ１０１０は、１つ以上のＣＰＵチップとして実装され得る。
【０１２４】
ネットワーク接続デバイス１０２０は、モデム、モデムバンク、イーサネット（登録商標）デバイス、汎用シリアルバス（ＵＳＢ）インターフェースデバイス、シリアルインターフェース、トークンリングデバイス、光ファイバ分散データインターフェース（ＦＤＤＩ）デバイス、無線ローカルエリアネットワーク（ＷＬＡＮ）デバイス、シンボル分割多重アクセス（ＣＤＭＡ）デバイス、グローバルシステムフォーモバイルコミュニケーションズ（ＧＳＭ（登録商標））無線送受信機デバイス等の無線送受信機デバイス、マイクロ波アクセス用の世界的相互運用性（ＷｉＭＡＸ）デバイス、および／またはネットワークに接続するための他の周知のデバイスの形態を成し得る。これらのネットワーク接続性デバイス１０２０によって、プロセッサ１０１０が、情報を受信する場合があるか、またはプロセッサ１０１０が情報を出力する場合がある、インターネット、あるいは１つ以上の電気無線通信ネットワークまたは他のネットワークと、プロセッサ１０１０が通信することを可能にし得る。
【０１２５】
また、ネットワーク接続デバイス１０２０は、無線周波数信号またはマイクロ波周波数信号等の電磁波の形態で、データを無線で送信および／または受信することが可能な１つ以上の送受信機コンポーネント１０２５も含む場合がある。代替として、データは、導電体の表面内または上を、同軸ケーブル内、導波管内、光ファイバ等の光媒体内、あるいは他の媒体内を伝播し得る。送受信機コンポーネント１０２５は、別個の受信および送信ユニット、または単一の送受信機を含み得る。送受信機１０２５によって送信または受信される情報は、プロセッサ１０１０によって処理されるデータ、あるいはプロセッサ１０１０によって実行される命令を含み得る。そのような情報は、例えば、コンピュータデータベースバンド信号またはキャリア内に具現化される信号の形態として、ネットワークから受信し、ネットワークに出力され得る。データは、データを処理または生成するか、あるいはデータを送信または受信するかのいずれかに対して、望ましいとされ得る、異なるシーケンスに従って順序付けられ得る。ベースバンド信号、キャリアに統合される信号、あるいは現在使用されている、または今後開発される他の種類の信号は、送信媒体と称され得、当業者に周知のいくつかの方法に従って生成され得る。
【０１２６】
ＲＡＭ１０３０を使用して、揮発性データ、および可能性として、プロセッサ１０１０によって実行される命令を記憶する場合がある。ＲＯＭ１０４０は、典型的には、二次記憶装置１０５０のメモリ容量より小さいメモリ容量を有する、不揮発性メモリデバイスである。ＲＯＭ１０４０を使用して、命令、および可能性として、命令の実行の際に読み取られるデータを記憶する場合がある。ＲＡＭ１０３０およびＲＯＭ１０４０両方へのアクセスは、典型的には、二次記憶装置１０５０へのアクセスより高速である。二次記憶装置１０５０は、典型的には、１つ以上のディスクドライブまたはテープドライブから成り、ＲＡＭ１０３０が全ての作業用データを保持するのに十分大きくない場合、データの不揮発性保存用に、またはオーバーフローデータ記憶デバイスとして使用される場合がある。二次記憶装置１０５０は、プログラムが実行用に選択される場合、ＲＡＭ１０３０へロードされるプログラムを記憶するために使用され得る。
【０１２７】
Ｉ／Ｏデバイス１０６０は、液晶ディスプレイ（ＬＣＤ）、タッチスクリーンディスプレイ、キーボード、キーパッド、スイッチ、ダイヤル、マウス、トラックボール、音声認識装置、カード読取装置、紙テープ読取装置、プリンタ、ビデオモニタ、または他の周知の入力デバイスを含み得る。また、送受信機１０２５は、ネットワーク接続デバイス１０２０のコンポーネントである代わりに、またはそれに加えて、Ｉ／Ｏデバイス１０６０のコンポーネントであると見なされる場合がある。Ｉ／Ｏデバイス１０６０の一部または全部は、ディスプレイ７０２および入力７０４等、ＵＥ１０の前述の図面に描写される種々のコンポーネントに実質的に類似し得る。
【０１２８】
いくつかの実施形態が、本開示で提供されているが、開示されたシステムおよび方法が、本開示の精神または範囲から逸脱することなく、多くの他の特定の形態で具現化され得ることを理解されたい。本実施例は、制限的ではなく例証的と見なされ、本明細書で提供される詳細に限定されることを意図しない。例えば、種々の要素またはコンポーネントを、別のシステムに組み入れるか、または一体化し得、あるいは、ある特徴を省略するか、または実装しなくてもよい。
【０１２９】
また、個別または別個のものとして種々の実施形態において説明および例証される技法、システム、サブシステム、および方法を、本開示の範囲から逸脱することなく、他のシステム、モジュール、技法、または方法に組み入れるか、または一体化し得る。連結もしくは直接連結または相互に通信するように図示または説明される他のアイテムは、電気的、機械的、またはその他の方法かどうかにかかわらず、何らかのインターフェース、デバイス、または中間コンポーネントを通して、間接的に連結または通信し得る。変更、置換、および改変の他の実施例は、当業者により解明可能であり、本明細書で開示される精神および範囲から逸脱することなく行うことができる。
【０１３０】
本発明の範囲を公に周知させるため、以下の請求項の範囲が主張される。
【図８】
2013526216.tif 000028
【図１】
2013526216.tif 000029
【図２】
2013526216.tif 000030
【図３】
2013526216.tif 000031
【図４】
2013526216.tif 000032
【図５】
2013526216.tif 000033
【図６】
2013526216.tif 000034
【図７】
2013526216.tif 000035
【図９】
2013526216.tif 000036
【図１０】
2013526216.tif 000037
【図１１】
2013526216.tif 000038
【国際調査報告】
2013526216.tif 000039
2013526216.tif 000040
2013526216.tif 000041